(57)【特許請求の範囲】
【請求項１】
前面パネルに設けられた開口部に対して装飾部材を当該前面パネルの表面より取り付けると共に、前記前面パネルに遊技領域を形成した遊技機において、前記前面パネルの背面側に設置された立体的な造形体を備え、前記立体的な造形体の前面側を光透過性部材で覆って、前記造形体を前方から視認可能に構成すると共に、さらに、以下の構成をも備えたことを特徴とする遊技機。
（１）前記光透過性部材には、当該光透過性部材を前後に貫通する背面意匠用開口部が形成され、該背面意匠用開口部から、前記立体的な造形体を、その一部を前記前面パネルの表面よりも前方にはみ出す様に設置したこと。
【請求項２】
さらに、以下の構成をも備えたことを特徴とする請求項１記載の遊技機。
（２）前記背面意匠用開口部の遊技領域側に、当該背面意匠用開口部側への遊技球の侵入を防止する壁部が前方へ突設されていること。
【請求項３】
前面パネルに設けられた開口に組み付け可能に構成された装飾部材を備えた遊技機であって、さらに以下の構成をも備えたことを特徴とする遊技機。
（１１）前記装飾部材は、光透過性を備えたベース部と、当該ベース部の背面に組み付ける背面蓋部とを備え、当該背面蓋部には、内部に立体的な造形体を収容する収容空間を備えると共に、前記光透過性を備えたベース部には、背面意匠用開口部を備え、前記収容空間内に収容された前記立体的な造形体の一部を、前記背面意匠用開口部を通じて、前記ベース部よりも前方に突出させる様に構成されていること。
【発明の詳細な説明】
【技術分野】
【０００１】
本発明は、遊技機に係り、特に、遊技領域に対して立体的な装飾を施す様にした遊技機に関する。
【背景技術】
【０００２】
この種の装飾を施したものとして、例えば、図５１（Ａ）に示す様に、障害釘、風車、発射レール等が前面に取り付けられる遊技盤前面パネルを透明樹脂板とし、この背面側に立体的な造形体を備える様にしたものがある（特許文献１）。この造形体は、保持部材の前面側に、左上装飾部材、左下装飾部材及びび右下装飾部材を積み重ねる様に組み立てて立体的に形成されている。
【０００３】
また、図５１（Ｂ）に示す様に、透明合成樹脂製の遊技盤前面パネルの遊技領域左下後背位置に、合成樹脂シートを立体的に形成した造形体を備える様にしたものもある（特許文献２）。この立体的な造形体は、前面パネルの裏面に貼り付けるスペーサに平坦部を挟み込む様にして取り付けられている。
【先行技術文献】
【特許文献】
【０００４】
【特許文献１】特開２００７−３０７２５７（図４，６，８）
【特許文献２】特開２０１１−８７６２２（図１８〜２０）
【発明の概要】
【発明が解決しようとする課題】
【０００５】
特許文献１，２の技術によれば、透明な前面パネルを介して背後に設置された造形体が見えることによる奥行きを感じさせるという視覚的効果が期待される。
【０００６】
しかしながら、これら特許文献１，２の技術は、透明な前面パネルの背面側のスペース以上には立体感を演出することはできないという問題がある。
【０００７】
なお、前面パネルの表面にもサイド飾りによる装飾があるが、こちらもガラス板との間の限られた空間内での表現しかできず、立体感を与えるという観点からはインパクトが弱い。
【０００８】
また、サイド飾りの表面を透光部材とし、透光部材をサイド飾りの裏側から発光基板で照明することもあるが、サイド飾りの付近には普通入賞口が設けられることが多く、裏面側に玉通路を備える必用があるなど発光基板の配設スペースを確保することが難しいことや、発光基板を備えることでコストが嵩むという問題もある。
【０００９】
そこで、本発明は、上記課題を鑑み、より立体的で躍動感を表現することのできる立体的な装飾を施すことを可能にすることを目的とする。
【課題を解決するための手段】
【００１０】
かかる目的を達成するためになされた本発明の遊技機は、前面パネルに設けられた開口部に対して装飾部材を当該前面パネルの表面より取り付けると共に、前記前面パネルに遊技領域を形成した遊技機において、前記前面パネルの背面側に設置された立体的な造形体を備え、前記立体的な造形体の前面側を光透過性部材で覆って、前記造形体を前方から視認可能に構成すると共に、さらに、以下の構成をも備えたことを特徴とする。
（１）前記光透過性部材には、当該光透過性部材を前後に貫通する背面意匠用開口部が形成され、該背面意匠用開口部から、前記立体的な造形体を、その一部を前記前面パネルの表面よりも前方にはみ出す様に設置したこと。
【００１１】
本発明の遊技機によれば、遊技盤前面パネルの背面側に設置した立体的な造形体の前面側を光透過性プレート部で覆っているから、当該立体的な造形体を前方から視認することができる。ここで、光透過性プレートは、透明合成樹脂製とした遊技盤前面パネル自体であってもよいし、背面側に設置する立体的な造形体に対応する様に遊技盤前面パネルに形成した開口部を覆う様に取り付けられるものであってもよい。本発明の遊技機は、この光透過性プレート部を前後に貫通する背面意匠用開口部から、立体的な造形体を、その一部を遊技盤前面パネルの前面よりも前方にはみ出す様に設置したことにより、立体的造形体は遊技盤前面パネルの背面から前面まで繋がった、より立体的なものとすることができる。この結果、遊技盤前面パネルの背面から遊技盤前面パネルの前面まで連続する火炎などの躍動感のある装飾を施すことができる。
【００１２】
ここで、本発明の遊技機においては、さらに、以下の構成をも備えることが望ましい。
（２）前記背面意匠用開口部の遊技領域側に、当該背面意匠用開口部側への遊技球の侵入を防止する壁部が前方へ突設されていること。
【００１３】
本発明の遊技機においては、遊技盤前面パネルの前面側まで立体的な造形体をはみ出させる結果、遊技球の衝突によって立体的な造形体が損傷するおそれが生じる。これに対し、（２）の構成を備えることにより透過性プレート部に形成された背面意匠用開口部の遊技領域側に突設した壁部で遊技球の侵入を防ぐことにより、背面から前面まではみ出す様に設置した立体的な造形体に対して遊技球が衝突する問題を回避することができるからである。加えて、遊技球が背面意匠用開口部から背面側に侵入するといった問題も生じない。
【００１４】
また、この場合、さらに、以下の構成をも備えるとよい。
（３）前記壁部は、前記遊技盤前面パネルの中心側に面する遊技球転動面を備えていること。
【００１５】
意匠用開口部の周囲に壁部を備えさせた本発明の遊技機が、さらに（３）の構成をも備えることにより、壁部が遊技球の動きを妨げるのではなく、遊技球を転動させてスムーズな動きをさせるものとなり、遊技全体に対する違和感を生じさせることがない。
【００１６】
さらに、これら本発明の遊技機は、さらに、以下の構成をも備えたものとするとよい。
（４）前記遊技盤前面パネルには、前面側の入賞口と背面側の遊技球案内通路とを連通させる様に遊技領域に形成した入賞口用貫通孔が備えられ、前記光透過性プレート部は、前記入賞口用貫通孔を前面側から塞ぐ様に取り付けられて前記入賞口を構成するサイド飾りのベース部であり、前記入賞口用貫通孔には、前記入賞口の下方に前記ベース部の背面意匠用開口の背面側を含む意匠用貫通孔が連続していること。
【００１７】
本発明の遊技機が（４）の構成をも備えることにより、サイドの入賞口の下方に遊技盤前面パネルの背面から前面まで連続した躍動感ある装飾を施すことができるからである。なお、サイド飾りには転動面を兼ねる装飾体が備わることが多いが、この装飾体は従来、箱状に形成され、箱の前面への彫刻等による装飾しかできなかった。しかし、本発明の構成を採用することにより、サイド飾りにおける装飾を、遊技盤背面から前面を越えて連続する立体的で躍動感のある装飾とすることができる。
【００１８】
上記目的を達成するためになされた本発明の遊技機は、前面パネルに設けられた開口に組み付け可能に構成された装飾部材を備えた遊技機であって、さらに以下の構成をも備えたことを特徴とする。
（１１）前記装飾部材は、光透過性を備えたベース部と、当該ベース部の背面に組み付ける背面蓋部とを備え、当該背面蓋部には、内部に立体的な造形体を収容する収容空間を備えると共に、前記光透過性を備えたベース部には、背面意匠用開口部を備え、前記収容空間内に収容された前記立体的な造形体の一部を、前記背面意匠用開口部を通じて、前記ベース部よりも前方に突出させる様に構成されていること。
【００１９】
本発明の遊技機用サイド飾りによれば、遊技盤前面パネルがいわゆるベニヤの様に光透過性を有しないものであっても、遊技盤前面パネルの背面から前面へと突き抜ける装飾を施すことができる。しかも、かかる装飾を施すための立体的な造形体は、サイド飾りのベースプレートと背面蓋との間に形成される収容空間内に収容した状態とすることができるから、サイド飾りとして組み立てておけばよく、遊技盤への取り付け作業が容易である。なお、背面蓋は光透過性を有しない部材としてあっても構わない。
【００２０】
ここで、本発明の遊技機用サイド飾りは、さらに、以下の構成をも備えることが望ましい。
（１３）前記透過性プレート部に形成された背面意匠用開口部の遊技領域側に、当該背面意匠用開口部側への遊技球の侵入を防止する壁部が前方へ突設されていること。
【００２１】
本発明の遊技機用サイド飾りが（１３）の構成をも備えることにより、躍動感あふれる装飾を提供する立体的な造形体が損傷するといった問題を回避することができるからである。この結果、立体的な造形体は細長い形状や一見華奢な形状にすることもできる。
【００２２】
また、壁部を備えた本発明の遊技機用サイド飾りは、さらに、以下の構成をも備えるとよい。
（１４）前記壁部は、前記遊技盤前面パネルの中心側に面する遊技球転動面を備えていること。
【００２３】
意匠用開口部の周囲に備えさせた壁部が遊技球の動きを妨げるのではなく、遊技球を転動させてスムーズな動きをさせるものとなり、遊技全体に対する違和感を生じさせることがないからである。
【００２４】
さらに、これら本発明の遊技機用サイド飾りは、さらに、以下の構成をも備えるとよい。
（１５）前記背面蓋は光透過性部材で形成されていること。
【００２５】
本発明の遊技機用サイド飾りが（１５）の構成をも備える様にすれば、背面蓋の背後に発光基板を設置して発光演出をも併せて実行することができるからである。また、発光演出をサイド飾りへの発光基板設置としないことにより、組み立てが容易になり、加えて、サイド飾り自体を複雑な構造にすることがなく、配線などの処理が容易になるからである。
【００２６】
なお、本発明の遊技機用サイド飾りは、さらに、以下の構成をも備えるとよい。
（１６）前記背面蓋の上面には、前記入賞口と前記遊技球案内通路とを連絡する樋が備えられていること。
【００２７】
本発明の遊技機用サイド飾りが（１６）の構成をも備えることにより、入賞口に入賞した遊技球を裏側の遊技球案内通路へとスムーズに誘導することができ、遊技球案内通路の設計においては、サイド飾りの背面形状を考慮しなくてもよくなるからである。
【発明の効果】
【００２８】
本発明によれば、遊技機に対して従来よりも立体的で躍動感を表現した装飾を施すことができる。
【図面の簡単な説明】
【００２９】
【図１】実施例１のパチンコ機を示し、（Ａ）は遊技盤を取り外した状態の斜視図、（Ｂ）は正面図、（Ｃ）は分解斜視図である。
【図２】実施例１のパチンコ機の遊技盤の正面図である。
【図３】実施例１のパチンコ機における各種可動体役物の動作を示した遊技盤の正面図である。
【図４】実施例１のパチンコ機におけ遊技盤の正面側から見た分解斜視図である。
【図５】実施例１のパチンコ機におけ遊技盤の背面側から見た分解斜視図である。
【図６】実施例１のパチンコ機におけ遊技盤の正面側から見た分解斜視図である。
【図７】実施例１のパチンコ機におけ遊技盤の背面側から見た分解斜視図である。
【図８】実施例１のパチンコ機の遊技盤前面パネルを示し、（Ａ）は正面図、（Ｂ）はＢ−Ｂ矢視断面図、（Ｃ）はＡ−Ａ矢視断面図である。
【図９】実施例１のパチンコ機の裏ユニットを示し、（Ａ）は正面図、（Ｂ）はＢ−Ｂ矢視断面図、（Ｃ）はＡ−Ａ矢視断面図である。
【図１０】実施例１のパチンコ機におけ裏ユニットへの円月輪可動体役物の組み付け状態を示す正面側から見た分解斜視図である。
【図１１】実施例１のパチンコ機におけ裏ユニットへの円月輪可動体役物の組み付け状態を示す背面側から見た分解斜視図である。
【図１２】実施例１のパチンコ機におけ裏ユニットへの円月輪可動体役物の組み付け状態を示す斜視図であって、ガイド溝の拡大図を併せて示し、（Ａ）は右前方から見た斜視図、（Ｂ）は左前方から見た斜視図である。
【図１３】実施例１のパチンコ機におけ裏ユニットへの円月輪可動体役物の組み付け状態を示す斜視図であって、ガイド溝とガイドプレートの関係を拡大図で併せて示し、（Ａ）は右前方から見た斜視図、（Ｂ）は左前方から見た斜視図である。
【図１４】実施例１のパチンコ機における裏面側ガイド形成部材を示し、（Ａ）は平面図、（Ｂ）は正面図、（Ｃ）は左側面図、（Ｄ）は右側面図、（Ｅ）は底面図、（Ｆ）は背面図である。
【図１５】実施例１のパチンコ機における裏面側ガイド形成部材の斜視図であって、（Ａ）は右前方から見た斜視図、（Ｂ）は左後方から見た斜視図、（Ｃ）は左前方から見た斜視図、（Ｄ）は右後方から見た斜視図である。
【図１６】実施例１のパチンコ機における前面側ガイド形成部材を示し、（Ａ）は平面図、（Ｂ）は正面図、（Ｃ）は左側面図、（Ｄ）は右側面図、（Ｅ）は底面図、（Ｆ）は背面図である。
【図１７】実施例１のパチンコ機における前面側ガイド形成部材の斜視図であって、（Ａ）は右前方から見た斜視図、（Ｂ）は左後方から見た斜視図、（Ｃ）は左前方から見た斜視図、（Ｄ）は右後方から見た斜視図である。
【図１８】実施例１のパチンコ機における円月輪可動体役物の正面側から見た分解斜視図である。
【図１９】実施例１のパチンコ機における円月輪可動体役物の背面側から見た分解斜視図である。
【図２０】実施例１のパチンコ機における円月輪可動体役物を示し、（Ａ）は平面図、（Ｂ）は左側面図、（Ｃ）は正面図、（Ｄ）は右側面図、（Ｅ）は底面図、（Ｆ）は背面図である。
【図２１】実施例１のパチンコ機における円月輪可動体役物をギヤボックスを取り除いて示し、（Ａ）は平面図、（Ｂ）は左側面図、（Ｃ）は正面図、（Ｄ）は右側面図、（Ｅ）は底面図、（Ｆ）は背面図である。
【図２２】実施例１のパチンコ機における円月輪可動体役物をギヤボックスを取り除いて示し、（Ａ）は合体位置へ回動した状態の正面図、（Ｂ）は退避位置に復帰した状態の正面図、（Ｃ）は合体位置へ回動した状態の背面図、（Ｄ）は退避位置に復帰した状態の背面図である。
【図２３】実施例１のパチンコ機における円月輪可動体役物が合体位置に回動した状態をギヤボックスを取り除いて示し、（Ａ）は正面側から見た斜視図、（Ｂ）は背面側から見た斜視図である。
【図２４】実施例１のパチンコ機における円月輪可動体役物が退避位置に復帰した状態をギヤボックスを取り除いて示し、（Ａ）は正面側から見た斜視図、（Ｂ）は背面側から見た斜視図である。
【図２５】実施例１のパチンコ機における円月輪可動体役物を前面側ガイド形成部材を取り除いて示し、（Ａ）は退避位置へ復帰した状態の正面図、（Ｂ）は合体位置へ回動した状態の正面図である。
【図２６】実施例１のパチンコ機における中央発光体役物を部分拡大図で示した遊技盤の正面図である。
【図２７】実施例１のパチンコ機における中央発光体役物を示し、（Ａ）は平面図、（Ｂ）は左側面図、（Ｃ）は正面図、（Ｄ）は右側面図、（Ｅ）は底面図、（Ｆ）は背面図である。
【図２８】実施例１のパチンコ機における中央発光体役物を示し、（Ａ）は右前方から見た斜視図、（Ｂ）は左後方から見た斜視図、（Ｃ）は左前方から見た斜視図、（Ｄ）は右後方から見た斜視図である。
【図２９】実施例１のパチンコ機における中央発光体役物の正面側から見た分解斜視図である。
【図３０】実施例１のパチンコ機における中央発光体役物の背面側から見た分解斜視図である。
【図３１】実施例１のパチンコ機における中央発光体役物の発光体、シャッタ片及び覆蓋駆動手段に関して正面側から見た分解斜視図である。
【図３２】実施例１のパチンコ機における中央発光体役物の発光体、シャッタ片及び覆蓋駆動手段に関して背面側から見た分解斜視図である。
【図３３】実施例１のパチンコ機における中央発光体役物の発光体、シャッタ片及び覆蓋駆動手段に関してギヤボックスを取り除いて示し、（Ａ）は平面図、（Ｂ）は左側面図、（Ｃ）は正面図、（Ｄ）は右側面図、（Ｅ）は底面図、（Ｆ）は背面図である。
【図３４】実施例１のパチンコ機における中央発光体役物におけるシャッタ片の開閉状況を開度を全閉位置（（Ａ１）〜（Ａ３））、１／３開放位置（（Ｂ１）〜（Ｂ３））、２／３開放位置（（Ｃ１）〜（Ｃ３））、全開位置（（Ｄ１）〜（Ｄ３））と、段階的な開閉角度について示した斜視図、正面図及び右側面図である。
【図３５】実施例１のパチンコ機におけるロゴ可動体役物を示し、（Ａ）は上昇位置にあるときの正面図、（Ｂ）は下降位置に移動したときの正面図である。
【図３６】実施例１のパチンコ機におけるロゴ可動体役物が上昇位置にあるときを動作に関する要部について示し、（Ａ）は正面側から見た斜視図、（Ｂ）は背面側から見た斜視図である。
【図３７】実施例１のパチンコ機におけるロゴ可動体役物が下降位置に移動したときを動作に関する要部について示し、（Ａ）は正面側から見た斜視図、（Ｂ）は背面側から見た斜視図である。
【図３８】実施例１のパチンコ機におけるロゴ可動体役物の正面側から見た分解斜視図である。
【図３９】実施例１のパチンコ機におけるロゴ可動体役物の背面側から見た分解斜視図である。
【図４０】実施例１のパチンコ機における左ロゴ可動体の駆動機構について示し、（Ａ）は正面側から見た分解斜視図、（Ｂ）は背面側から見た分解斜視図である。
【図４１】実施例１のパチンコ機における右ロゴ可動体の駆動機構について示し、（Ａ）は正面側から見た分解斜視図、（Ｂ）は背面側から見た分解斜視図である。
【図４２】実施例１のパチンコ機におけるロゴ可動体役物における左右の正面成形体とベース部材との関係を一成形例で示し、（Ａ）は左右の正面成形体のみの正面図、（Ｂ）は左右の正面成形体をベース部材に取り付けた状態においてスライドブロックが上昇位置にあるときの正面図、（Ｃ）は左右の正面成形体をベース部材に取り付けた状態においてスライドブロックが下降位置にあるときの正面図、（Ｄ）は左右の正面成形体をベース部材に取り付けた状態においてスライドブロックが下降位置にあるときの前方下側から見た斜視図、（Ｅ）は左右の正面成形体をベース部材に取り付けた状態においてスライドブロックが下降位置にあるときをさらに下方から見た斜視図である。
【図４３】実施例１のパチンコ機における左サイド飾りについて説明するための遊技盤の斜視図である。
【図４４】実施例１のパチンコ機における左サイド飾りについて示し、（Ａ）は正面側から見た分解斜視図、（Ｂ）は成形例組立状態を正面側から見た斜視図、（Ｃ）は（Ｂ）の要部拡大斜視図である。
【図４５】実施例１のパチンコ機における左サイド飾りについて示し、（Ａ）は背面側から見た分解斜視図、（Ｂ）は成形例組立状態を背面から見た斜視図、（Ｃ）は（Ｂ）の要部拡大斜視図である。
【図４６】実施例１のパチンコ機における左サイド飾りについて示し、（Ａ）は普通入賞口形成部材及び背面蓋を装着しない状態の正面側から見た斜視図、（Ｂ）はその背面側から見た斜視図、（Ｃ）は成形例組立状態の底面図、（Ｄ）は成形例組立状態の平面図である。
【図４７】実施例１のパチンコ機における光拡散部と液晶表示装置の関係について説明するための裏ユニットの斜視図であって、（Ａ）は正面側から見た斜視図、（Ｂ）は背面側から見た斜視図である。
【図４８】実施例１のパチンコ機における光拡散部と液晶表示装置の関係について説明するための裏ユニットの図であって、（Ａ）は平面図、（Ｂ）は左側面図、（Ｃ）は正面図、（Ｄ）は右側面図、（Ｅ）は底面図、（Ｆ）は背面図である。
【図４９】実施例１のパチンコ機における光拡散部と液晶表示装置の関係について説明するための液晶表示装置の図であって、（Ａ）は右前方から見た斜視図、（Ｂ）は左後方から見た斜視図、（Ｃ）は左前方から見た斜視図、（Ｄ）は右後方から見た斜視図である。
【図５０】実施例１のパチンコ機における光拡散部と液晶表示装置の関係について説明するための液晶表示装置の図であって、（Ａ）は平面図、（Ｂ）は左側面図、（Ｃ）は正面図、（Ｄ）は右側面図、（Ｅ）は底面図、（Ｆ）は背面図、（Ｇ）は画面の内外分割の範囲を示す正面図である。
【図５１】従来技術の説明図である。
【発明を実施するための形態】
【００３０】
以下、本発明の実施形態として、具体的な実施例を図面に基づき詳細に説明する。
【実施例１】
【００３１】
［１  遊技機全体の概要］
実施例１のパチンコ機を、図面に基づき詳細に説明する。なお実施例において「左」又は「右」とは、パチンコ機の表側（前面側）から見たときの「左」又は「右」を示すものとする。まず本実施形態のパチンコ機の基本的構成を簡単に説明する。
【００３２】
実施例１のパチンコ遊技機Ｐは、図１に示す様に、外枠Ａ、中枠Ｂ、遊技盤１、前枠Ｄ、上の球受け皿Ｅ、下の球受け皿Ｆ及び打球発射装置Ｇを備えている。外枠Ａはパチンコ機Ｐの外郭を構成する縦長方形の枠である。中枠Ｂは、各種の遊技用構成部材をセットするための縦長方形の枠であって、外枠Ａの前面側に開閉可能かつ着脱可能に組み付けられる。遊技盤１は、中枠（遊技盤取付枠）Ｂの開口部に取り付けられる。前枠Ｄは遊技盤１の透視保護窓であって、施錠装置Ｈの操作によって開閉可能な様に中枠Ｂの前面側に組み付けられる。上の球受け皿Ｅは、貸し球や賞球の受け皿で、本実施例においては前枠Ｄの下部と一体に構成されてる。従って、前枠Ｄを中枠Ｂに対して開閉するときに上の球受け皿Ｅも共に開閉される。下の球受け皿Ｆは、上の球受け皿Ｅが一杯になったときに排出される遊技球や打ち損じの遊技球等を受ける受け皿であって、中枠Ｂの下部に固定されている。打球発射装置Ｇは、上の球受け皿Ｅから発射レールに送り込まれた遊技球をハンドル操作に対応する強さで打ち出すための装置であって、中枠Ｂの右下部に装備される。
【００３３】
中枠Ｂは、上縁をなす上枠部材Ｂ１と、下縁をなし打球発射装置Ｇ等が設置された下枠部材Ｂ２と、左側縁をなす左枠部材Ｂ３と、右側縁をなす右枠部材Ｂ４とから構成されて、これら上下左右の枠部材Ｂ１〜Ｂ４を組み付けた際に、全体が外枠Ａの開口に整合する矩形枠状に形成される。そして、上下左右の枠部材Ｂ１〜Ｂ４を組み付けた際に開口する開口部分が、遊技盤１を設置する遊技盤保持部Ｂ５として機能する。ここで、中枠Ｂは、外枠Ａの左上端部及び左下端部に設けられた支軸を介して枢支され、左側端部を中心として中枠Ｂを回転させることで外枠Ａに対して中枠Ｂを開閉し得るようになっている。
【００３４】
遊技盤１には、図２に示す様に、図柄変動表示装置（液晶表示装置）２を備えたセンター役物３が配置されている。このセンター役物３のすぐ下には始動入賞口１１が配置されていて、この始動入賞口１１に遊技球が入賞すると液晶表示装置２に表示される図柄が変動を開始する。そのため、液晶表示装置２と始動入賞口１１との間は、遊技者が注目する場所となっている。また、遊技盤１には、これら部品の他に、液晶表示装置２を取り巻く様に配置されてセンター役物３を構成する大型装飾部品（センター飾り）１２、特別入賞口１３、案内車１４、アウト口１５、左下普通入賞口１６ａ〜１６ｃ等の各種の部品が取り付けられている。また、遊技盤１には誘導レール１８が取り付けられ遊技領域１０が形成される。なお、左下普通入賞口１６ａ〜１６ｃは、左サイド飾り５００と一体の部品で構成されている。
【００３５】
遊技盤１には、各種可動体役物が備えられている。図３に示す様に、センター飾り上部に備えられているロゴは、二つに割れて左右に広がりながら落下するロゴ可動体役物１００となっている（（Ｂ）参照）。また、センター飾りの左右の縁から回動動作によって出現して合体動作を演出する円月輪可動体役物２００も備えられている（（Ｃ）参照）。さらに、センター飾りの右側から中心に向かって振り出され、先端の手裏剣型装飾体を回転させる回転手裏剣可動体役物３００も備わっている（（Ｄ）参照）。これら可動体役物１００，２００，３００は、三つ同時に動作する演出も実行し得る構成となっている（（Ｅ）参照）。
【００３６】
また、遊技盤１には、図２に示す様に、ステージ２０の背面に透明な壁部材２１が立ち上げられ、この透明な壁部材２１を通して視認可能な様に、ステージ中央背面位置にシャッタ付き中央発光体役物４００も備えられている。この他、センター役物３の右上部分にギヤボックス役物６００が備えられ、ギヤを回転させる演出を実行する様にも構成されている。
【００３７】
遊技盤１は、図４〜図７に示す様に、ベニヤ製の前面パネル３０と、前面パネル３０の裏側にねじ止め固定される合成樹脂製の裏ユニット４０とから構成され、さらに裏ユニット４０の裏面側に液晶表示装置２が取り付けられる。
【００３８】
前面パネル３０には、図５に示す様に、センター飾り１２を装着する大開口３１が中央に形成されると共に、左右下部のサイド飾り装着用開口３２，３３、中央下部の入賞口装着用開口３４、賞球カウンタへの信号線接続用開口３５などが貫通形成されている。そのほか、裏ユニット４０との位置合わせ用孔３６やビス孔などがドリル加工されると共に、四隅には中枠Ｂに対する位置合わせ用段部３８がルーター加工されている。遊技領域１０は、大開口３１の周囲を取り巻く様に形成され、前述した様に、障害釘などが取り付けられている。
【００３９】
裏ユニット４０は、図５，図７に示す様に、中央部に液晶画面露出用の窓開口４１が形成され、背面側に液晶表示装置２をセットするディスプレイ取付枠４２を備えている。ここで、裏ユニット４０の枠体部分４３は、透光性を有する合成樹脂材料で形成されると共に、窓開口４１の左右の周縁部には光拡散加工（ダイヤカット面加工など）を施した光拡散部４５を備えている。
【００４０】
なお、液晶表示装置２は、裏ユニット４０の窓開口４１よりも大きい液晶画面２ａを備えている。従って、図７に示す様に、光拡散部４５の背面に液晶画面２ａの縁の部分が位置する状態で取り付けられることになる。
【００４１】
また、裏ユニット４０の前面側には、図４に示す様に、前面パネル３０の裏側に伸びる左下普通入賞口１６ａ〜１６ｃと連絡する左下普通入賞口玉通路４６ａ〜４６ｃを形成する玉通路形成部材４６が取り付けられると共に、始動入賞口１１、特別入賞口１３からの入賞球を受け入れる中央玉通路４７が一体形成されている。
【００４２】
さらに、裏ユニット４０の前面側周囲には前方へ伸びる周壁４８が形成され、全体としては前開きの箱状成形体として射出成形によって製造されている。箱状に成形された裏ユニット４０は、可動体役物の取り付け土台となる。図６に示す様に、シャッタ付き中央発光体役物４００は、裏ユニット４０の前面に取り付けられ、前面パネル３０のステージ中央の背後において、ステージ２０の上面から露出する位置となる様に窓開口４１の下部側の枠体部分の前面側に取り付けられる。
【００４３】
［２  可動体役物の取り付け関係］
可動体役物１００，２００，３００，６００は、図８、図９に示す様に、奥から順番に、円月輪可動体役物２００、ギヤボックス役物６００、回転手裏剣可動体役物３００、ロゴ可動体役物１００の順番で組み付けられている。ギヤボックス役物６００はその場でギヤを回転させる演出を実行する役物であって、他の可動体役物の様に液晶画面の前へ出現したり退出したりする動作は実行しない。一方、円月輪可動体役物２００、回転手裏剣可動体役物３００、及びロゴ可動体役物１００は、回動あるいはスライドによって液晶画面の前面に出現したり退出したりする動作を実行する。これら円月輪可動体役物２００、回転手裏剣可動体役物３００、及びロゴ可動体役物１００は、単独の可動体演出に加えて、三つが同時に動作する可動体演出も実行する。このため、それぞれの動作面が前後方向にずらされて互いに干渉し合わない様に組み付けられるのである。
【００４４】
［３  円月輪可動体役物２００の詳細］
可動体役物の内で一番奥に取り付けられる円月輪可動体役物２００は、図１０，図１１に示す様に、左右の半割リング状可動体役物２１０，２２０で構成される。左右の半割リング状可動体役物２１０，２２０は、窓開口４１の中心に向かって互いに反対側から回動動作を行う様に、裏ユニット４０の枠体上側縁４３ａを回動中心とする様に取り付けられる。このとき、左右の半割リング状可動体役物２１０，２２０は、それぞれの可動端２１０ａ，２２０ａ側に、透明なガイドプレート２１１，２２１を備え、このガイドプレート２１１，２２１が、裏ユニット４０の前面と平行に動作させるためのガイド形成部材２３０によってガイドされた状態となる様に取り付けられる。また、円月輪可動体役物２００が合体した状態を左側から照明するためのＬＥＤランプ２８０も備えられている。
【００４５】
ガイド形成部材２３０は、裏ユニット４０の枠体下側縁４３ｂの前面に取り付けられる裏面側ガイド形成部材２３１と、裏面側ガイド形成部材２３１の前面に重なる様に取り付けられる前面左側ガイド形成部材２３２及び前面右側ガイド形成部材２３３とから構成されている。これら裏面側ガイド形成部材２３１、前面左側ガイド形成部材２３２及び前面右側ガイド形成部材２３３は、組み立てられることによって、図１２，図１３に示す様に、上面を溝開口２３４ａ，２３５ａとするガイド溝２３４，２３５を形成する構造とされている。前述のガイドプレート２１１，２２１は、溝開口２３４ａ，２３５ａからガイド溝２３４，２３５内に挿入された状態となって前後からガイドされる。これによって、左右の半割リング状可動体役物２１０，２２０は、裏ユニット４０の前面に平行な面内を回動する様にガイドされる。
【００４６】
裏面側ガイド形成部材２３１は、図１０，図１１，図１４，図１５に示す様に、正面視において全体として皿の様な形状を呈する平板部２３１ａと、この平板部２３１ａの下部から側部にかけて平板部２３１ａを中心として前後に伸びる両側周壁部２３１ｂと、上部について後にだけ伸びる片側周壁部２３１ｃと、を備えた構造となっている。なお、平板部２３１ａの中心部分は装飾形状部２３１ｄとされ、ガイド溝２３４，２３５の溝底を構成する溝底リブ２３１ｅ，２３１ｅ及び前面ラダー状リブ２３１ｆ、後面升目状リブ２３１ｇも一体成形されている。
【００４７】
前面左側ガイド形成部材２３２は、図１０，図１１，図１６，図１７に示す様に、裏面側ガイド形成部材２３１の装飾形状部２３１ｄよりも左側の部分と正面視において重なる形状の平板部２３２ａと、この平板部２３２ａの周縁全体を平板部２３２ａを裏面とする様に前方に向かって立設された周壁部２３２ｂと、周壁部２３２ｂの内側に形成された前面ラダー状リブ２３２ｃと、シャッタ付き中央発光体役物４００を前面側に取り付ける際の位置決め用突起２３２ｄ，２３２ｄとが一体成形されている。
【００４８】
前面右側ガイド形成部材２３３は、前面左側ガイド形成部材２３２と左右対称となる部品であって、図１０，図１１，図１６，図１７に示す様に、裏面側ガイド形成部材２３１の装飾形状部２３１ｄよりも右側の部分と正面視において重なる形状の平板部２３３ａと、この平板部２３３ａの周縁全体を平板部２３３ａを裏面とする様に前方に向かって立設された周壁部２３３ｂと、周壁部２３３ｂの内側にハシゴ状に形成された前面ラダー状リブ２３３ｃと、シャッタ付き中央発光体役物４００を前面側に取り付ける際の位置決め用突起２３３ｄ，２３３ｄとが一体成形されている。
【００４９】
左右の半割リング状可動体役物２１０，２２０は、図１８，図１９に示す様に、半円形の正面外枠成形体２１２，２２２と、これら正面外枠成形体２１２，２２２のそれぞれの裏面に嵌め合わされる半円形のレンズ部材２１３，２２３と、これらレンズ部材２１３，２２３のそれぞれの裏面側に取り付けられる半円形のＬＥＤ基板２１４，２２４と、半円形の裏蓋部材２１５，２２５と、を重ね合わせてネジ止めした組立体として構成されている。ガイドプレート２１１，２２１は、この組み立て作業の際に、正面外枠成形体２１２，２２２と裏蓋部材２１５，２２５との間に挟み込む様にして装着される。
【００５０】
正面外枠成形体２１２，２２２は、可動端側先端部２１２ａ，２２２ａが、斜め方向に互い違いとなる端面形状とされていて、図２０等に示す様に、合体位置において先端同士が重なり合う意匠体として構成されている。また、幅方向中心に円弧状レンズ窓２１２ｂ，２２２ｂを備えると共に、当角度間隔で３個の菱形状レンズ窓２１２ｃ，２２２ｃと、１個の三角形状レンズ窓２１２ｄ，２２２ｄが開口されている。
【００５１】
レンズ部材２１３，２２３は、正面外枠成形体２１２，２２２よりも幅の狭い寸法形状とされ、３個の菱形状レンズ窓２１２ｃ，２２２ｃに対応する位置には外径側及び内径側に飛び出す様に突起状レンズ２１３ａ，２２３ａが形成されると共に、１個の三角形状レンズ窓２１２ｄ，２２２ｄに対応する位置には内径側にだけ飛び出す様に突起状レンズ２１３ｂ，２２３ｂが形成されている。また、レンズ部材２１３，２２３の可動端側先端部２１３ｄ，２２３ｄは、正面外枠成形体２１２，２２２の一番下の菱形状レンズ窓２１２ｃ，２２２ｃに対応する位置で切断された形状となっている。
【００５２】
ＬＥＤ基板２１４，２２４は、レンズ部材２１３，２２３と重なる形状に形成され、円弧状の本体プレート部２１４ａ，２２４ａ及び本体プレート部２１４ａ，２２４ａから外径側及び内径側に飛び出す様に形成された三角形状プレート部２１４ｂ，２２４ｂにＬＥＤを配置したものである。
【００５３】
裏蓋部材２１５，２２５は、レンズ部材２１３，２２３及びＬＥＤ基板２１４，２２４を前面に嵌り込ませた状態で、正面外枠成形体２１２，２２２の内側に嵌り込む寸法形状の平板２１５ａ，２２５ａに対して、周縁リブ２１５ｂ，２２５ｂと内部リブ２１５ｃ，２２５ｃとを前面側に一体成形したものであって、可動端側先端部２１５ｄ，２２５ｄの外径側に周縁リブ欠落部２１５ｅ，２２５ｅを備えている。ガイドプレート２１１，２２１は、この周縁リブ欠落部２１５ｅ，２２５ｅから挿入された状態でネジ止め固定される。
【００５４】
正面外枠成形体２１２，２２２の回動中心側元部２１２ｅ，２２２ｅには、フォロワプレート２１２ｆ，２２２ｆが一体成形されている。このフォロワプレート２１２ｆ，２２２ｆには、左右の半割リング状可動体役物２１０，２２０を合体位置へ動作させたときに垂直方向となる長円形孔２１２ｇ，２２２ｇが形成されている。また、フォロワプレート２１２ｆ，２２２ｆの上端には回動中心となる軸支孔２１２ｈ，２２２ｈが形成されている。
【００５５】
この軸支孔２１２ｈ，２２２ｈは、左右が互いに重なり合う様に、左側の半割リング状可動体役物２１０のフォロワプレート２１２ｆからは右方向に、右側の半割リング状可動体役物２２０のフォロワプレート２２２ｆからは左方向に、飛び出す様に形成された軸支用膨出部２１２ｉ，２２２ｉに形成されている。また、これら軸支用膨出部２１２ｉ，２２２ｉは前後方向に互いに重なり合う様に、左側の半割リング状可動体役物２１０の方はフォロワプレート２１２ｆの前面よりも前方へずらす様に飛び出させて形成され、右側の半割リング状可動体役物２２０の方はフォロワプレート２２２ｆの前面から後方にずらす様に窪ませて形成されている。
【００５６】
また、左側の半割リング状可動体役物２１０のフォロワプレート２１２ｆには、左方向に飛び出す三角形状のシャッタ部材２１２ｊが形成されている。このシャッタ部材２１２ｊは、後述する様に、円月輪可動体役物２００が開いた状態となった原点位置への動作完了を検出するためのものである。また、フォロワプレート２１２ｆ，２２２ｆは、その対面側端面２１２ｋ，２２２ｋが、合体位置において軸支孔２１２ｈ，２２２ｈの中心とほぼ一致する垂直面となる様に構成されている。そして、対面側端面２１２ｋ，２２２ｋの下部には半円形凹部２１２ｍ，２２２ｍが形成されている。裏ユニット４０には、合体動作時にこれらの半円形凹部２１２ｍ，２２２ｍが左右から当接する様に、合体中心規制ピン４９が突設されている（図１２，図１３等参照）。
【００５７】
この円月輪可動体役物２００の動力は、駆動モータ２５０によって与えられる。駆動モータ２５０は、裏ユニット４０の前面に取り付けられるギヤボックス２４０の左側に前面側から取り付けられ、ギヤボックス２４０内の３個の減速ギヤ２５１〜２５３を介して、２個の動作用ギヤ組２５４，２５５を正逆回転させることにより、左右の半割リング状可動体役物２１０，２２０を、待機位置（開いた状態）と可動位置（合体した状態）との間で回動動作させる。
【００５８】
ギヤボックス２４０は、ボックス後部２４１とボックス前部２４２とからなる前後半割の構造とされ、前述の減速ギヤ２５１〜２５３と、動作用ギヤ組２５４，２５５とを内部に収納する。動作用ギヤ組２５４，２５５は、ギヤ比１対１で構成されていて、回転中心の外側にピン２５４ａ，２５５ａが前方へ向かって突設されている。このピン２５４ａ，２５５ａは、フォロワプレート２１２ｆ，２２２ｆの長円形孔２１２ｇ，２２２ｇに嵌り込んでカム軸として機能する。このため、動作用ギヤ組２５４，２５５は、これらピン２５４ａ，２５５ａが噛み合い位置に対して対称となる様に噛み合わされる。そして、ギヤボックス２４０のボックス前部２４２には、モータ軸を挿入するモータ用開口２４３と、ピン２５４ａ，２５５ａを前方へ露出させるためのカム軸用開口２４４，２４５とが形成されている。
【００５９】
駆動モータ２５０は、モータ用開口２４を覆う様にギヤボックス２４０の前面に取り付けられるベース部材２６０を介して設置され、モータカバー２５９（図１０参照）で前面を覆われる。このベース部材２６０の右側にはフォトセンサ２７０が取り付けられる。このフォトセンサ２７０の検出部２７１にシャッタ部材２１２ｊが入り込んだ状態から、原点復帰を検出できる様になっている。
【００６０】
なお、フォロワプレート２１２ｆ，２２２ｆは裏面側にワイヤハーネスを収納することのできる空間を形成する様に後方に向かって突設された周壁２１２ｏ，２２２ｏ及び長円形孔周壁２１２ｐ，２２２ｐを備え、裏側から裏蓋２１２ｑ，２２２ｑが装着される様になっている。ワイヤハーネスは、半割リング状可動体役物２２０，２３０のＬＥＤ基板２１４，２２４へと電源及び信号を送るためのもので、フォロワプレート２１２ｆ，２２２ｆと裏蓋２１２ｑ，２２２ｑの上端側に形成される開口部分から内部空間２１２ｘ，２２２ｘへと導かれ、ＬＥＤ基板２１４，２２４に接続される。
【００６１】
図１８，図１９の分解斜視図で示した部品を組み上げた状態を図２０に示す。また、図２０においてギヤボックス２４０を取り払った状態を図２１に示す。これらの図に示す様に、左右の半割リング状可動体役物２１０，２２０は、合体位置において、斜め方向に互い違いとなる端面形状とされた可動端側先端部２１２ａ，２２２ａ同士が重なり合う意匠体として構成される。また、合体位置において、フォロワプレート２１２ｆ，２２２ｆの半円形凹部２１２ｍ，２２２ｍが円形孔を形成する様に接近する。このとき、裏ユニット４０の合体中心規制ピン４９があるから、左右の半割リング状可動体役物２１０，２２０が回動し過ぎることはない。
【００６２】
円月輪可動体役物２００の動作状態を、図２２〜図２４に示す。図２２（Ａ），（Ｃ）及び図２３が、可動位置（合体状態となる最大突出位置）へと動作した状態を、図２２（Ｂ），（Ｄ）及び図２４が、退避位置（液晶表示装置の前面から逃げた没入位置）へと動作した状態を示している。正面側から見える様に描いた図から分かる様に、動作用ギヤ組２５４，２５５のピン２５４ａ，２５５ａが、フォロワプレート２１２ｆ、２２２ｆの長円形孔２１２ｇ、２２２ｇに係合してカムフォロワー機構を構成し、駆動モータ２５０を正逆回転することで、出没動作をすることが分かる。このとき、動作用ギヤ組２５４，２５５がギヤ比１対１であるから、左右の半割リング状可動体役物２１０，２２０は左右対称の動作を実行する。
【００６３】
図２５に、裏ユニット４０に装着し、ガイド形成部材２３０のガイド溝２３４，２３５にガイドプレート２１１，２２１がガイドされている状態を示す。図示の様に、ガイド溝２３４，２３５の溝底は、ガイドプレート２１１，２２１が円弧運動によって移動する軌跡（ｌｏｃｕｓ）とほぼ同一の形状となっている。また、ガイド形成部材２３０は、裏ユニット４０に取り付けた状態において、窓開口４１の下縁とほぼ一致する中央水平部２３４Ｓ，２３５Ｓと、中央水平部２３４Ｓ，２３５Ｓから左右に向かって窓開口４１内に円弧状に飛び出す左膨出部２３４Ｂ及び右膨出部２３５Ｂとからなり、窓開口の下縁前面に沿う様に取り付けられた状態となる。この様に、回動軌跡に対応する上面形状とすることでガイドプレート２１１，２２１をそれほど深くまで達する長いものにしなくても、ガイド溝２３４，２３５から外れてしまうことがない。そして、液晶画面の下側左右の一部が隠れたとしても画像演出において違和感を与える影響は少なく、ガイドプレート２１１，２２１が目立つことなく回動動作が実行されることにより、合体演出における違和感を与え難い効果が大きい。
【００６４】
［４  発光体役物４００の詳細］
実施例の遊技盤１は、図２６に示す様に、ステージ２０の背面に透明な壁部材２１が立ち上げられ、この透明な壁部材２１を通して視認可能な様に、ステージ２０の中央背面位置（始動入賞口１１の直上位置の後方）にシャッタ付き中央発光体役物４００が備えられている。ステージ２０は、左右から中央に向かって下り傾斜となっていて中央の合流部分が山なりに上方へ突出したステージ面２２を有している。このステージ面２２の前面には中央の山の両脇から遊技球を落下させる様に２箇所の窪み２３ａ，２３ａを有するステージ飾り２３が取り付けられている。ステージ２０の中央の山の部分には、始動入賞口１１の直上位置に開口するトンネル通路２５が形成されている。このトンネル通路２５の奥端は壁部材２１で塞がれている。壁部材２１の中央下部には、ステージ中央の背面縁に形成された半円形孔と共に円形の落下孔を形成する様に後方へ窪ませた半円形縦溝２１ａが形成されている。ワープ通路２６等からステージ２０の上面に飛び込んだ遊技球は、ステージ前面飾り２３の窪み２３ａ，２３ａから始動入賞口１１の左右の脇へと落下する他、このトンネル通路２５へと落ち込んで始動入賞口１１の直上へと落下することもある構造となっている。
【００６５】
シャッタ付き中央発光体役物４００は、図２７，図２８に示す様に、円の約１／３が開放された形状の開放リング型支持体４３０の下部に備えられている。
【００６６】
開放リング型支持体４３０は、図２９，図３０に示す様に、正面外枠左成形体４３１及び正面外枠右成形体４３２と、第１のレンズ部材４３３ａ〜４３３ｄと、装飾窓部材４３４ａ〜４３４ｅと、装飾窓裏レンズ部材４３５ａ〜４３５ｅと、左ＬＥＤ基板４３６及び右ＬＥＤ基板４３７と、左裏蓋部材４３８及び右裏蓋部材４３９と、中央発光体装飾部材４４０と、を前後方向に重ね合わせる様に組み立ててネジ止め固定した組立体として構成されている。そして、中央発光体装飾部材４４０の裏面側から、シャッタ付き発光体役物４００が組み付けられる。
【００６７】
正面外枠左成形体４３１は、センター役物左上からステージ中央付近までの円弧状成形体であって、３個の台形状窓４３１ａと、３箇の円弧状窓４３１ｂとを備えている。そして、３個の台形状窓４３１ａの裏側に３個の第１のレンズ部材４３３ａ〜４３３ｃを嵌め込み、３個の円弧状窓４３１ｂの裏側に３個の装飾窓部材４３４ａ〜４３４ｃ及び３個の装飾窓裏レンズ部材４３５ａ〜４３５ｃを嵌め込み、さらに左ＬＥＤ基板４３６を収納し、左裏蓋部材４３８で蓋をすることのできる成形体となっている。
【００６８】
正面外枠右成形体４３２は、ステージ中央付近から右上方へ向かうの円弧状成形体であって、１個の台形状窓４３２ａと、２箇の円弧状窓４３２ｂとを備えている。全体の大きさは、正面外枠左成形体４３１の約１／３程度である。正面外枠右成形体４３２の１個の台形状窓４３２ａの裏側に１個の第１のレンズ部材４３３ｄを嵌め込み、２個の円弧状窓４３２ｂの裏側に２個の装飾窓部材４３４ｄ，４３４ｅ及び２個の装飾窓裏レンズ部材４３５ｄ，４３５ｅを嵌め込み、さらに右ＬＥＤ基板４３７を収納し、右裏蓋部材４３９で蓋をすることのできる成形体となっている。
【００６９】
中央発光体装飾部材４４０は、左側面飾り４４０ａ及び右側面飾り４４０ｂが取り巻く様に中央開口４４０ｃを形成した成形体であって、正面外枠左成形体４３１と正面外枠右成形体４３２の間に嵌め込む様に組み付けられる。この中央発光体装飾部材４４０は、中央開口４４０ｃの下側に前面壁４４０ｄが一体成形されている。この前面壁４４０ｄの前面上部中央には、正面視Ｕ字状の半円形凹入部４４０ｅが形成されると共に、裏面側は箱状リブ４４０ｆが一体成形によって形成されている。また、中央開口４４０ｃの縁にあたる部分にも後方へ向かって円筒状壁部４４０ｇが一体成形されると共に、円筒状壁部４４０ｇの左右にビス孔付きボス４４０ｈが全部で４個突設された成形体となっている。中央発光体装飾部材４４０は、正面外枠左成形体４３１と正面外枠右成形体４３２の間に、前面から嵌め込む様に組み付けられ、正面外枠左成形体４３１及び正面外枠右成形体４３２の中央側縁に形成されたビス挿入孔４３１ｈ，４３２ｈを介して裏側からビス止め固定される。
【００７０】
シャッタ付き中央発光体役物４００は、図２９〜図３２に示す様に、発光体４０１と、この発光体４０１の前面を覆うように設置された覆蓋部材４０２，４０３と、これら覆蓋部材４０２，４０３を閉鎖位置と開放位置との間で移動させる覆蓋駆動手段４１０とを備えている。
【００７１】
発光体４０１は、内面及び外面に光拡散加工を施された半球形状の光透過性部材４０１ａと、この光透過性部材４０１ａの内面側に前方へ向かって光を放つ様に装着された略円形のＬＥＤ発光基板４０１ｂと、このＬＥＤ基板４０１ｂの裏から装着される発光体裏蓋４０１ｃとから構成された半球状のものである。以後、発光体４０１を半球状発光体４０１と呼ぶ。
【００７２】
半球状発光体４０１の発光体裏蓋４０１ｃには、ＬＥＤ基板４０１ｂの裏面のボックスコネクタ４０１ｄにワイヤハーネスを接続するためのボックス状開口４０１ｅと、このボックス状開口４０１ｅの左右上角及び下中央に形成された３個のビス孔付き円柱部４０１ｆとが形成されている。
【００７３】
覆蓋部材４０２，４０３は、半球状発光体４０１よりも直径の大きい半球体を上下にほぼ二分割した形状のもので、以後、覆蓋部材４０２を上側半球状シャッタ片４０２と、覆蓋部材４０３を下側半球状シャッタ片４０３と呼ぶ。上側半球状シャッタ片４０２と下側半球状シャッタ片４０３は、半球状発光体４０１の球体中心を通る同一軸線上に形成された支軸４０５ａ，４０５ｂを回動中心とする様に取り付けられ、閉鎖位置において半球状発光体４０１の前面を覆い隠すことができるサイズの一対のものとして構成されている。
【００７４】
上側半球状シャッタ片４０２において閉鎖側となる下縁の中央には、下方に飛び出す様に三角形状突片部４０２ａが形成されている。対する下側半球状シャッタ片４０３において閉鎖側となる上縁には、三角形状突片部４０２ａの先端形状に対応して後方に凹入するする三角形状段部４０３ａが形成され、この三角形状段部４０３ａの背面側に同心の球面を形成する様に球面状背面壁４０３ｂが立設された形状となっている。
【００７５】
支軸４０５ａ，４０５ｂは、下側半球状シャッタ片４０３の左右に水平に突設されており、上側半球状シャッタ片４０２の軸挿通孔４０２ｂ，４０２ｂをこの支軸４０５ａ，４０５ｂに嵌め込むことで、支軸４０５ａ，４０５ｂを互いに共通な回動中心として、上側半球状シャッタ片４０２と下側半球状シャッタ片４０３が上下方向に回動動作可能な構造となっている。
【００７６】
また、上側半球状シャッタ片４０２及び下側半球状シャッタ片４０３は、それぞれの右側において、支軸４０５ａ，４０５ｂと平行に、支軸４０５ａ，４０５ｂを通る水平面に対して上下対称となる様に突設されたピン４０２ｐ，４０３ｐを備えている。
【００７７】
さらに、上側半球状シャッタ片４０２及び下側半球状シャッタ片４０３は、それぞれの内面を鏡面処理されたダイヤカット面４０２ｃ，４０３ｃとすると共に、上側半球状シャッタ片４０２には梵字を象った覗き窓４０２ｄが形成されている。この覗き窓４０２ｄは貫通孔でもよいが、本実施例では透明な薄肉部として形成してある。
【００７８】
上側半球状上シャッタ片４０２は、鍔付きブッシュ４０４，４０４を間に挟み込む様にして下側半球状シャッタ片４０３から左右に突設されている支軸４０５ａ，４０５ｂを、軸挿通孔４０２ｂ，４０２ｂに挿通させて一体化する。また、軸挿通孔４０２ａ，４０２ａから飛び出している支軸４０５ａ，４０５ｂには外からも鍔付きブッシュ４０４，４０４を嵌め込む。
【００７９】
半球状発光体４０１、上側半球状シャッタ片４０２及び下側半球状シャッタ片４０３は、背面側に位置する背面支持枠４１１と、右側面側に位置する右側面支持枠４１２とによって形成される平面視Ｌ型の枠体部分の前面側に組み付けられる。
【００８０】
この組み付けに当たっては、半球状発光体４０１は、背面支持枠４１１の矩形開口４１１ａの左右上角近くと下中央近くに形成された３個のビス挿通孔４１１ｂから挿入したビスを、発光体裏蓋４０１ｃのビス孔付き円柱部４０１ｆにねじ込んで組み付ける。これにより、ＬＥＤ基板４０１ｂのボックスコネクタ４０１ｄに接続されたワイヤハーネスは、発光体裏蓋４０１ｃのボックス状開口４０１ｅ及び背面支持枠４１１の矩形開口４１１ａを介して外部へと引き出した状態で組み付けることができる。
【００８１】
右側面支持枠４１２の右側面には、ギヤ比１対１で噛み合う一対のギヤ４１３，４１４が組み付けられる。そのため、右側面支持枠４１２の右側面には、ギヤ４１３，４１４を軸支するためのギヤ支持軸４１２ａ，４１２ｂが突設されている。ギヤ４１３，４１４は、ギヤ支持軸４１２ａ，４１２ｂに嵌め込まれ、裏側から裏面プレート４１５で蓋をされた状態に組み付けられる。このため、裏面プレート４１５には、ギヤ支持軸４１２ａ，４１２ｂを挿通する挿通孔４１５ａ，４１５ｂが形成されている。
【００８２】
ギヤ４１３，４１４は、それぞれの外周部から突設されたアーム４１３ａ，４１４ａを備えている。このアーム４１３ａ，４１４ａには左側を開口とする溝４１３ｂ，４１４ｂが形成されている。ギヤ４１３，４１４は、このアーム４１３ａ，４１４ａがギヤの噛み合い点を通る水平面に対して上下対称となる様に噛み合わされる。
【００８３】
右側面支持枠４１２には、このギヤ４１３，４１４の噛み合い点の延長線を中心とする円形の軸受け孔４１２ｃが貫通されると共に、この軸受け孔４１２ｃと同心円となる外側上下位置に円弧状溝４１２ｄ，４１２ｅが開口されている。
【００８４】
右側面支持枠４１２には、これら一対のギヤ４１３，４１４に対して動力を伝達する駆動モータ４２０も取り付けられる。このため、右側面支持枠４１２の右側面には、モータベース４１６を固定するための２個のネジ孔付き支柱４１２ｆと、２個の位置決め突起付き支柱４１２ｇとが水平に突設形成されている。モータベース４１６には、モータ４２０の駆動軸４２０ａを挿通するための円形孔４１６ａが形成されると共に、ネジ孔付き支柱４１２ｆのネジ孔に一致するネジ挿通孔４１６ｂと、位置決め突起付き支柱４１２ｇの位置決め突起に一致する位置決め孔４１６ｃが形成されている。
【００８５】
駆動モータ４２０は、モータベース４１６の右側から、駆動軸４２０ａを円形孔４１６ａに挿通する様に組み付けられ、ネジ止め固定される。この駆動軸４２０ａの先には、モータベース４１６を挟んで反対側から駆動ギヤ４１７が嵌合される。この駆動ギヤ４１７の外周の一部からシャッタ部材４１７ａが突設されている。このシャッタ部材４１７ａは、モータベース４１６の下部左側面に取り付けられるフォトセンサ４２５の検出部４２５ａに入り込んだ状態を原点位置として検出するためのものである。モータベース４１６には、フォトセンサ４２５を取り付けるための位置決め突起４１６ｄとネジ孔４１６ｅが形成され、フォトセンサ４２５には位置決め孔４２５ｂとネジ挿通孔４２５ｃが形成されている。なお、モータベース４１６には駆動モータ４２０をネジ止め固定するためのネジ孔４１６ｆが形成され、駆動モータ４２０にはネジ挿通孔４２０ｂが形成されている。
【００８６】
ギヤ４１３，４１４と、駆動ギヤ４１７は、駆動ギヤ４１７のシャッタ部材４１７ａが下向き位置となってフォトセンサ４２５の検出位置４２５ａに入り込んだ状態のときに、ギヤ４１３，４１４のアーム４１３ａ，４１４ａが前方を向いた状態となる様に、右側面支持枠４１２、裏面プレート４１５及びモータベース４１６の組立を実行する。
【００８７】
こうして、右側面支持枠４１２、ギヤ４１３，４１４、裏面プレート４１５、モータベース４１６、駆動ギヤ４１７、駆動モータ４２０及びフォトセンサ４２５を組み立てることによって覆蓋駆動手段４１０が完成したら、半球状発光体４０１を組み付けた背面支持枠４１１と右側面支持枠４１２とを組み立てながら、半球状発光体４０１の前面を覆う様に上側及び下側の半球状シャッタ片４０２，４０３を組み付ける。
【００８８】
この際、背面支持枠４１１の右端から約１／４の位置の上下に形成した３個のビス挿通孔４１１ｈから挿通したネジを、右側面支持枠４１２の円弧状開口直上辺りの上面から形成した３個のネジ孔４１２ｈへとねじ込んで、背面支持枠４１１と右側面支持枠４１２とを組み立てて平面視Ｌ型の枠体部分を組み上げる。このとき、右側側面支持枠４１２の上面から突設した２個の位置決め突起４１２ｉを、背面支持枠４１１に形成した２個の位置決め孔４１１ｉへと嵌合させて正しく位置決めを行うことができる様に構成されている。
【００８９】
背面支持枠４１１への半球状発光体４０１の取り付けにおいても、半球状発光体４０１の発光体裏蓋４０１ｃの裏面に突設した２個の位置決め突起４０１ｇを背面支持枠４１１に形成した２個の位置決め孔４１１ｇに嵌合させることによって正しく位置決めを行うことができる様に構成されている。
【００９０】
上側半球状シャッタ片４０２は、鍔付きブッシュ４０４，４０４を間に挟み込む様にして下側半球状シャッタ片４０３から左右に突設されている支軸４０５ａ，４０５ｂを、軸挿通孔４０２ｂに挿通させて一体化する。また、軸挿通孔４０２ｂから飛び出している支軸４０５ａ，４０５ｂに外から鍔付きブッシュ４０４，４０４を嵌め込む。そして、左側の支軸４０５ａを、背面支持枠４１１の左側前面に突設された側壁部４１１ｋの軸受け孔４１１ｍに嵌め込むと共に、右側の支軸４０５ｂを、右側面支持枠４１２の上部中央の軸受け孔４１２ｃに嵌め込む。このとき、上側半球状シャッタ片４０２及び下側半球状シャッタ片４０３の右側において、支軸４０５ｂを通る水平面に対して上下対称となる様に突設されたピン４０２ｐ、４０３ｐを、右側面支持枠４１２において軸受け孔４１１ｃと同心円となる外側上下位置に形成された円弧状開口４１１ｄ，４１１ｅに挿入し、ギヤ４１３，４１４のアーム４１３ａ，４１４ａの溝４１３ｂ，４１４ｂへと嵌り込ませる。
【００９１】
前述の様に、ギヤ４１３，４１４はアーム４１３ａ，４１４ａを前方へ向けた状態になっていることから、この組立の際に、上下の半球状シャッタ片４０２，４０３は、半球状発光体４０１の前面を閉じた状態に組み付けられる（図３３参照）。
【００９２】
なお、図３１，図３２において、符号４１１ｐは、背面支持枠４１１を４３０にネジ止めするためのネジ挿入孔、符号４１１ｒは４３０側の位置決め突起と嵌合する位置決め孔、符号４１１ｒは位置決めバーである。
【００９３】
以上の様に構成された本実施例の発光体役物４００は、発光体を半球状発光体４０１とすると共に、シャッタ片を半球をほぼ二分割した形状で閉鎖位置において半球状発光体４０１の前面を覆い隠すことができるサイズの一対の半球状シャッタ片４０２，４０３とし、これら半球状シャッタ片４０２，４０３を半球状発光体４０１の球体中心を通る同一軸線上に形成された支軸４０５ａ，４０５ｂを回動中心とする様に取り付けたので、図３４に示す様に、シャッタ片４０２，４０３が開放位置へと回動していくとき、背後から出現する発光体４０１は球体の皮を剥いた様な印象となる。この結果、シャッタ片４０２，４０３が動いたときに遊技者に期待を抱かせ過ぎることがない反面、一皮剥けた状態で発光演出を行って初めて遊技者の興趣を高めることができる。
【００９４】
また、本実施例の発光体役物４００は、一つの駆動モータ４２０で上下一対のシャッタ片４０２，４０３の回動角度を同じくして同期した動きを実現でき、閉鎖位置への移動完了をフォトセンサ４２５で検知することにより、閉鎖位置を基準とした開閉角度の制御も可能となっている。この結果、図３４に示す様に、全閉位置（（Ａ１）〜（Ａ３））、１／３開放位置（（Ｂ１）〜（Ｂ３））、２／３開放位置（（Ｃ１）〜（Ｃ３））、全開位置（（Ｄ１）〜（Ｄ３））と、段階的な開閉角度の制御も実行可能となっている。
【００９５】
さらに、覆蓋駆動手段４１０が簡単な構成で着実な動作を可能にしているからこそ、組み付け精度等についての高い要求を必要としない。そして、簡単な構造であるから、始動入賞口１１などの設置されるステージ２０の中央の様な位置へも設置可能となっている。
【００９６】
また、閉鎖位置（図３４（Ａ１）〜（Ａ３））においては、上側半球状シャッタ片４０２の突片部４２ａと下側半球状シャッタ片４０３の窪ませた段部４０３ａとが重なる状態となる。この結果、高い組立精度を要求しなくても閉鎖位置での隙間が生じることがなく、経年変化が生じても隙間が生じない結果、発光演出として企画した内容を着実に実行することができる。
【００９７】
加えて、一対の半球状シャッタ片４０２，４０３は、内面を鏡面処理されたダイヤカット面４０２ｃ，４０３ｃとすると共に、上側半球状シャッタ片４０２には内部を覗き見せることのできる覗き窓４０２ｄが形成されているので、シャッタ片４０２，４０３が閉鎖位置にあるときに発光体４０１を発光させると、ダイヤカット面４０２ｃ，４０３ｃによって内部での乱反射が発生し、覗き窓４０２ｄを介して光が漏れ出すという斬新な発光演出を実行することもできる。
【００９８】
また、ステージ２０の背面には透明板で形成された透明な壁部材２１が立ち上げられ、発光体役物４０１は、始動入賞口１１の上方において、透明壁部材２１の背面側で発光体４０１及び覆蓋部材４０２，４０３がステージ２０の上面から露出する位置となる様に、裏ユニット４０の窓開口４１の下部側の枠体部分の前面側に取り付けられているので、発光体役物４００による発光演出が始動入賞口１１という遊技者にとって注目し易い位置の近くで実行され、斬新な光の漏れ出し演出を効果的に実行することができる。そして、この様な効果は、蓋覆部材駆動手段４１０を前述の様に、ギヤ比１対１のギヤ４１３，４１４のアーム４１３ａ，４１４ａの溝４１３ｂ，４１４ｂにピン４０２ｐ，４０３ｐを嵌め込み、駆動ギヤ４１７を介して駆動モータ４２０の動力を伝達する構成を採用し、これらギヤ４１３等を、背面支持枠４１１、右側面支持枠４１２、裏面プレート４１５及びモータベース４１６で取り囲んだギヤボックスに収納する構成としたので、ステージ中央という注目度の高い位置への発光体役物４００の設置を容易にしている。
【００９９】
さらに、本実施例では、大型装飾部材としてのセンター飾り１２の後方に連続して遊技盤１の前面パネル３０の大開口３１の内側を装飾する様に裏ユニット４０の枠体部分４３の前面側に取り付けられる内側装飾部材としての開放リング型支持体４３０を備え、この開放リング型支持体４３０を正面外枠左成形体４３１と正面外枠右成形体４３２に分割したので、左右の正面外枠成形体４３１，４３２の間を光体役物組み付け部とし、この発光体装飾役物組み付け部となる左右の正面外枠成形体４３１，４３２の間に、発光体役物４００の周囲を取り囲む様に中央発光体装飾部材４４０を取り付け、発光体役物４００を内側装飾部材である開放リング型支持体４３０に組み付けることにより、開放リング型支持体４３０を介して裏ユニット４０の前面側に取り付けられる。そして、ステージ２０には、上面中央に上方に膨らんだ山状の部分と、この山状の部分の中央部後方から切り欠かれた半円形落下孔と、この半円形落下孔と連続して遊技球を始動入賞口１１の直上位置へと誘導するトンネル通路２５とが備えられ、透明壁部材２１の中央下部には半円形落下孔及びトンネル通路２５の後壁を構成する様に半円形に後方へ窪んだ半円形縦溝２１ａが形成されると共に、中央発光体装飾部材４４０の下部中央には透明壁部材２１の半円形縦溝２１ａの後方への膨らみを受け入れ得る半円形凹入部４４０ｅが形成されているので、発光体役物４００をステージ２０の中央のトンネル通路２５の直後へと組み付けることができている。
【０１００】
この結果、始動入賞口１１のすぐ上で遊技球がトンネル通路２５へ転がり落ちるというラッキーな印象とも相俟ってさらに斬新な発光演出を実行することができる。そして、透明壁部材２１によりステージ２０上の遊技球が発光体役物４００の開閉動作に不具合を生じさせることがなく、壁部材２１があってもそれが透明であるから発光演出は確実に遊技者に視認させることができ、トンネル通路２５の後壁がこの透明壁部材２１の半円形縦溝２１ａで形成されるから、トンネル通路２５へ落下する遊技球の動きと発光体役物による発光演出がシンクロナイズする演出も生じ易くなる。なお、発光体役物４００の演出を、始動入賞口１１への遊技球の入賞を検知した信号と同期させて実行するなどすることにより、このシンクロナイズ効果はより高まる。
【０１０１】
［５  ロゴ可動体役物１００の詳細］
ロゴ可動体役物１００は、図３５に示す様に、左ロゴ可動体１１０と右ロゴ可動体１２０を、互いに接近し合った状態の上昇位置（（Ａ）参照）と、それぞれが割れて左右に広がる様に落下した下降位置（（Ｂ）参照）との間でスライド動作し、下降位置への移動によって、左右のロゴ可動体役物１１０，１２０の背後に隠されていた上部中央発光体１３０を露出させる様に構成されている。
【０１０２】
背面を装飾する上部中央発光体１３０を取り除いた状態の図３６，図３７に示す様に、ロゴ可動体役物１００は、左右のロゴ可動体１１０，１２０を上下方向に移動可能に支持するベース部材１４０と、このベース部材に左下がり傾斜に開口された平行な２条の長円形スライド溝１５１，１５２によって構成された左スライドガイド１５０と、同じくベース部材１４０に右下がり傾斜に開口された平行な２条の長円形スライド溝１６１，１６２によって構成された右スライドガイド１６０と、左右のロゴ可動体１１０，１２０を、これら左右のスライドガイド１５０，１６０に支持された状態とするための左スライドブロック１５３及び右スライドブロック１６３と、駆動手段としての左ソレノイド１７０及び右ソレノイド１８０と、このソレノイド１７０，１８０のロッド１７０ａ，１８０ａの引き付け動作を左右のスライドブロック１５３，１６３の下降動作とする様に伝達する左右のレバー１７１，１８１と、ソレノイド１７０，１８０がオフとなったときに左右のスライドブロック１５３，１６３を上昇位置へと復帰させる付勢バネ１７２，１８２とを備えている。
【０１０３】
ロゴ可動体役物１００は、図３８，図３９に示す様に、複数の部品による組立体として構成されている。
【０１０４】
左ロゴ可動体１１０は、図３８，図３９に示す様に、左ロゴ正面成形体１１１と、この左ロゴ正面成形体１１１の裏側内部に嵌め込まれる左ロゴレンズ部材１１２と、左ロゴレンズ部材１１２の裏側に組み付けられる左ロゴＬＥＤ基板１１３と、この左ロゴＬＥＤ基板１１３の裏側を蓋する様に組み付けられる左ロゴ裏蓋部材１１４との組立体として構成されている。右ロゴ可動体１２０も、同様に、右ロゴ正面成形体１２１と、右ロゴレンズ部材１２２と、右ロゴＬＥＤ基板１２３と、右ロゴ裏蓋部材１２４との組立体として構成されている。
【０１０５】
左右のロゴ正面成形体１１１，１２１は、透明な合成樹脂の射出成形体であって、内面をダイヤカット加工によって光拡散処理されている。左右のロゴレンズ部材１１２，１２２も透明合成樹脂製射出成形体であって、内外面を光拡散処理されている。そして、左右のロゴ裏蓋部材１１４，１２４の裏面には、左右のスライドブロック１５３，１６３をそれぞれに組み付けるための３個のネジ孔１１４ａ１，１２４ａ１を３つの頂点の位置に備えた“おにぎり形”のスライドブロック組付部１１４ａ，１２４ａが突設されると共に、左右のロゴＬＥＤ基板１１３，１２３へと信号ケーブルを接続するための各２個のケーブル接続窓１１４ｂ，１２４ｂが開口されている。
【０１０６】
左ロゴ裏蓋部材１１４に開口された２個のケーブル接続窓１１４ｂ，１１４ｂは、左ロゴ可動体１１０のスライド方向と一致する様に左下がりの軸線上に並ぶ様に開口され、これらの間にケーブル押さえ部１１４ｃが備わった構造となっている。同じく、右ロゴ裏蓋部材１２４に開口された２個のケーブル接続窓１２４ｂ，１２４ｂは、右ロゴ可動体１２０のスライド方向と一致する様に右下がりの軸線上に並ぶ様に開口され、これらの間にケーブル押さえ部１２４ｃが備わった構造となっている。本実施例では、信号ケーブルとして帯状に一体化されたフラットケーブルを使用し、一方の窓から挿入して他方の窓の位置でＬＥＤ基板１１３，１２３の裏面のケーブルコネクタ１１３ａ，１２３ａに接続することにより、フラットケーブルがケーブル押さえ部１１４ｃ，１２４ｃによって押さえられた状態となる様に取り付けている。このとき、フラットケーブルの他端は、ケーブル接続窓１１４ｂ，１２４ｂの並びと同じ方向に傾斜させた配線となる様にベース部材１４０の前面に取り付ける。
【０１０７】
左右のロゴ可動体１１０，１２０の背後に設置される上部中央発光体１３０は、図３８，図３９に示す様に、裏蓋部材１３１と、３個のＬＥＤ基板１３２，１３３，１３４と、中央上部レンズ部材１３５と、中央組付枠１３６と、中央正面成形体１３７と、左右の正面成形体１３８，１３９（図２，図４２参照）とを組み立てて構成されている。中央正面成形体１３７は、透明なレンズ部１３７ａと、不透明な装飾部１３７ｂとからなり、レンズ部１３７ａの内面には光拡散加工が施されている。中央組付枠１３６は、円形窓１３６ａと三角形窓１３６ｂが連続した形状の開口を備えている。この中央組付枠１３６に対して、中央正面成形体１３７は円形窓１３６ａの前面側から、レンズ部材１３５は三角形窓１３６ｂの裏面側から組み付けられる。裏蓋部材１３１は、中央組付枠１３６に対応する中央部１３１ａの上部左右から、左アーム部１３１ｂ及び右アーム部１３１ｃが伸びた形状の成形体として構成されている。裏蓋部材１３１の左側に装着されるＬＥＤ基板１３２は左アーム部１３１ｂと、中央に装着されるＬＥＤ基板１３３は中央部１３１ａと、右側に装着されるＬＥＤ基板１３４は右アーム部１３１ｃと対応する形状をしている。そして、中央のＬＥＤ基板１３３の前面に中央正面成形体１３７及びレンズ部材１３５が組み付けられた中央組付枠１３６が装着され、左右のＬＥＤ基板１３２，１３４の前面に左右の正面成形体１３８，１３９が装着される。
【０１０８】
裏蓋部材１３１には、これらＬＥＤ基板１３２，１３３，１３４の裏面側の接続コネクタ１３２ａ，１３３ａ，１３４ａを露出させるための窓開口１３１ｄが開口されている。また、左右のＬＥＤ基板１３２，１３４の前面側には、左右のロゴ可動体１１０，１２０に対して接続されるフラットケーブルの他端を接続するフラットケーブル用コネクタ１３２ｂ，１３４ｂが備えられている。そして、左右のＬＥＤ基板１３２，１３４と左右の正面成形体１３８，１３９の間には、フラットケーブル用コネクタ１３２ｂ，１３４ｂに接続されたフラットケーブルを引き出して通過させることのできる隙間が形成され、左右のロゴ可動体１１０，１２０のＬＥＤ基板１１３，１２３のケーブルコネクタ１１３ａ，１２３ａへと配線できる様に構成されている。この様にして、左右のＬＥＤ基板１３２，１３４を、左右のロゴ可動体１１０，１２０への発光演出信号の中継基板としても機能させている。
【０１０９】
左右のロゴ可動体１１０，１２０をスライド可能に支持するベース部材１４０には、図３８〜図４１に示す様に、左下部に、左スライドガイド１５０を構成する左下がり傾斜の平行な２条の長円形スライド溝１５１，１５２が開口されると共に、右下部に、右スライドガイド１６０を構成する右下がり傾斜の平行な２条の長円形スライド溝１６１，１６２が開口されている。
【０１１０】
左スライドガイド１５０の長円形スライド溝１５１，１５２の周縁には、図４０に示す様に、溝を取り巻く様に前面側及び裏面側に突設する様にスライド溝縁枠部１５１ａ，１５２ａが形成されている。これらスライド溝縁枠部１５１ａ，１５２ａの前端面及び後端面は、面一となり、それぞれ、スライドブロック１５３の摺動面として機能する。
【０１１１】
右スライドガイド１６０の長円形スライド溝１６１，１６２の周縁にも、図４１に示す様に、溝を取り巻く様に前面側及び裏面側に突設する様にスライド溝縁枠部１６１ａ，１６２ａが形成されている。これらスライド溝縁枠部１６１ａ，１６２ａの前端面及び後端面は、面一となり、それぞれ、スライドブロック１６３の摺動面として機能する。
【０１１２】
左のスライドブロック１５３は、図３８，図３９に示す様に、前側部材１５４及び後側部材１５５から構成される。前側部材１５４には、図４０に示す様に、前面側に、左ロゴ可動体１１０の裏面のスライドブロック組付部１１４ａの３個のネジ孔１１４ａ１にネジを螺合する際の３個のネジ挿入孔１５４ａ１を３つの頂点の位置に備えた“おにぎり形”の嵌合凹部１５４ａが形成されると共に、裏面側には、内側の長円形スライド溝１５１に挿通される２個のボス１５４ｂ，１５４ｃと、外側の長円形スライド溝１５２に挿通される２個のボス１５４ｄ，１５４ｅとが突設されている。内側の長円形スライド溝１５１に挿通されるボス１５４ｂ，１５４ｃの内、上方に位置するボス１５４ｂの先端は段付き細径部１５４ｆとされている。
【０１１３】
また、後側部材１５５には、前面側に、ボス１５４ｂの段付き細径部１５４ｆと突き合わされる細径ボス１５５ｂが形成されると共に、その他の３個のボス１５４ｃ，１５４ｄ，１５４ｅを嵌合させる３個の凹入部１５５ｃ，１５５ｄ，１５５ｅが形成されている。細径ボス１５５ｂは先端面が凹入部１５５ｃ〜１５５ｅよりも低く形成され、この先端面を底とする収納部を形成する様に９０度間隔で３個の爪１５５ｆが周囲を取り巻く様に形成されている。なお、３個の凹入部１５５ｃ〜１５５ｅにはネジ挿通孔が形成され、これら３個の凹入部１５５ｃ〜１５５ｅと嵌合する３個のボス１５４ｃ〜１５４ｅにはそれぞれネジ孔が形成されている。前側部材１５４と後側部材１５５は、これらネジ挿通孔及びネジ孔の３つ全部又は対角位置にある２つを用いてネジ止めすることにより、長円形スライド溝１５１，１５２の間のベース部材残存部１５６を前後から挟む様にして、ベース部材１４０に対して組み付ける。
【０１１４】
右のスライドブロック１６３は、図３８，図３９に示す様に、前側部材１６４及び後側部材１６５から構成される。前側部材１６４には、図４１に示す様に、前面側に、右ロゴ可動体１２０の裏面のスライドブロック組付部１２４ａの３個のネジ孔１２４ａ１にネジを螺合する際の３個のネジ挿入孔１６４ａ１を３つの頂点の位置に備えた“おにぎり形”の嵌合凹部１６４ａが形成されると共に、裏面側には、内側の長円形スライド溝１６１に挿通される２個のボス１６４ｂ，１６４ｃと、外側の長円形スライド溝１６２に挿通される２個のボス１６４ｄ，１６４ｅとが突設されている。内側の長円形スライド溝１６１に挿通されるボス１６４ｂ，１６４ｃの内、上方に位置するボス１６４ｂの先端は段付き細径部１６４ｆとされている。
【０１１５】
また、後側部材１６５には、前面側に、ボス１６４ｂの段付き細径部１６４ｆと突き合わされる細径ボス１６５ｂが形成されると共に、その他の３個のボス１６４ｃ，１６４ｄ，１６４ｅを嵌合させる３個の凹入部１６５ｃ，１６５ｄ，１６５ｅが形成されている。細径ボス１６５ｂは先端面が凹入部１６５ｃ〜１６５ｅよりも低く形成され、この先端面を底とする収納部を形成する様に９０度間隔で３個の爪１６５ｆが周囲を取り巻く様に形成されている。なお、３個の凹入部１６５ｃ〜１６５ｅにはネジ挿通孔が形成され、これら３個の凹入部１６５ｃ〜１６５ｅと嵌合する３個のボス１６４ｃ〜１６４ｅにはそれぞれネジ孔が形成されている。前側部材１６４と後側部材１６５は、これらネジ挿通孔及びネジ孔の３つ全部又は対角位置にある２つを用いてネジ止めすることにより、長円形スライド溝１６１，１６２の間のベース部材残存部１６６を前後から挟む様にして、ベース部材１４０に対して組み付ける。
【０１１６】
左のスライドブロック１５３の後側部材１５５の前面側に突設された細径ボス１５５ｂは、組立時に前側部材１５４の細径段部１５４ｆと同一軸線上に同一径の細径部分を形成する様に構成されている。また、図４０に示す様に、後側部材１５５の裏面側にはレバー１７１の可動端側長孔１７１ａを連結するためのレバー連結用ピン１５５ｈが突設されている。レバー連結用ピン１５５ｈの先端には抜け止め片１５５ｉが外に向かって突設されている。
【０１１７】
また、ベース部材１４０の左側部分の裏面側には、図４０に示す様に、左のスライドガイド１５０の内側の長円形スライド溝１５１の延長線上の位置に付勢バネ１７２の上端１７２ｂを連結するためのバネ連結用フック１４１が突設されている。付勢バネ１７２は、このバネ連結用フック１４１と、左のスライドブロック１５３のボス１５４ｂ及び細径ボス１５５ｂが付き合わさって形成される細径部分との間に装着され、スライドブロック１５３を内側の長円形スライド溝１５１に沿って上方へ引き上げる様に付勢力を加える。この細径部分は、前面側のボス１５４ｂの段部を有することとなるので、付勢バネ１７２が、軸方向へズレようとする動きは規制される。
【０１１８】
さらに、ベース部材１４０の左側部分には、図４０に示す様に、左のレバー１７１の回動中心となる支点ピン１７３を嵌合する支点孔１４２が形成されている。左のレバー１７１は、左端に形成されたロッド連結孔１７１ｂに連結ピン１７４を装着して左のソレノイド１７０のロッド１７０ａの先端の連結用長孔１７０ｂと連結されると共に、ロッド連結孔１７１ｂの右下に突の形状となっている角部に形成された支点孔１７１ｃに支点ピン１７３を挿通させつつ当該支点ピン１７３をベース部材１４０の支点孔１４２に嵌合することによって、ベース部材１４０の裏面側において、回動可能な状態に取り付けられる。
【０１１９】
左のレバー１７１の右端部に形成された長孔１７１ａに、前述のスライドブロック１５３のレバー連結用ピン１５５ｈを挿通させることにより、スライドガイド１５０に支持されたスライドブロック１５３に対してレバー１７１を連結する。ソレノイド１７０をオンにするとロッド１７０ａを上方へ吸引する動作が実行され、レバー１７１が正面視において時計回りに回動され、その右端部が下方に向かって移動する。この結果、スライドブロック１５３は、スライドガイド１５０に沿って斜め下方に移動される。従って、左ロゴ可動体１１０は斜め左下へと移動し、左ロゴ可動体１１０が外へ開きながら落下する様に見せる可動体演出が実行される。ソレノイド１７０をオフにすると、ロッド１７０ａの吸引が解かれ、付勢バネ１７２が縮もうとする結果、スライドブロック１５３は、内側の長円形スライド溝１５１の軸線上を上方へ移動され、スライドガイド１５０の最上部で停止する。この結果、左ロゴ可動体１１０が、斜め右上へと移動し、右ロゴ可動体１２０と接近した初期位置へと復帰する動作が実行される。
【０１２０】
右のスライドブロック１６３の後側部材１６５の前面側に突設された細径ボス１６５ｂは、組立時に前側部材１６４の細径段部１６４ｆと同一軸線上に同一径の細径部分を形成する様に構成されている。また、図４１に示す様に、後側部材１６５の裏面側にはレバー１８１の可動端側長孔１８１ａを連結するためのレバー連結用ピン１６５ｈが突設されている。レバー連結用ピン１６５ｈの先端には抜け止め片１６５ｉが外に向かって突設されている。
【０１２１】
また、ベース部材１４０の右側部分の裏面側には、図４１に示す様に、右のスライドガイド１６０の内側の長円形スライド溝１６１の延長線上の位置に付勢バネ１８２の上端１８２ｂを連結するためのバネ連結用フック１４３が突設されている。付勢バネ１８２は、このバネ連結用フック１４３と、右のスライドブロック１６３のボス１６４ｂ及び細径ボス１６５ｂが付き合わさって形成される細径部分との間に装着され、スライドブロック１６３を内側の長円形スライド溝１６１に沿って上方へ引き上げる様に付勢力を加える。この細径部分は、前面側のボス１６４ｂの段部を有することとなるので、付勢バネ１８２が、軸方向へズレようとする動きは規制される。
【０１２２】
さらに、ベース部材１４０の右側部分には、図４１に示す様に、右のレバー１８１の回動中心となる支点ピン１８３を嵌合する支点孔１４４が形成されている。右のレバー１８１は、左端に形成されたロッド連結孔１８１ｂに連結ピン１８４を装着して左のソレノイド１８０のロッド１８０ａの先端の連結用長孔１８０ｂと連結されると共に、ロッド連結孔１８１ｂの右下に突の形状となっている角部に形成された支点孔１８１ｃに支点ピン１８３を挿通させつつ当該支点ピン１８３をベース部材１４０の支点孔１４４に嵌合することによって、ベース部材１４０の裏面側において、回動可能な状態に取り付けられる。
【０１２３】
右のレバー１８１の右端部に形成された長孔１８１ａに、前述のスライドブロック１６３のレバー連結用ピン１６５ｈを挿通させることにより、スライドガイド１６０に支持されたスライドブロック１６３に対してレバー１８１を連結する。ソレノイド１８０をオンにするとロッド１８０ａを上方へ吸引する動作が実行され、レバー１８１が正面視において時計回りに回動され、その右端部が下方に向かって移動する。この結果、スライドブロック１６３は、スライドガイド１６０に沿って斜め下方に移動される。従って、右ロゴ可動体１２０は斜め右下へと移動し、右ロゴ可動体１２０が外へ開きながら落下する様に見せる可動体演出が実行される。ソレノイド１８０をオフにすると、ロッド１８０ａの吸引が解かれ、付勢バネ１８２が縮もうとする結果、スライドブロック１６３は、内側の長円形スライド溝１６１の軸線上を上方へ移動され、スライドガイド１６０の最上部で停止する。この結果、右ロゴ可動体１２０が、斜め左上へと移動し、左ロゴ可動体１１０と接近した初期位置へと復帰する動作が実行される。
【０１２４】
なお、左右のソレノイド１７０，１８０は、図３８，図３９に示す様に、取付金具１９１，１９２で背面から押さえる様にしてベース部材１４０の裏面に固定される。
【０１２５】
以上説明した様に、本実施例のロゴ可動体役物１００においては、２条の平行な左下がり傾斜の長円形スライド溝１５１，１５２によって、左下がり傾斜のガイドバーに相当する残存部１５６を有するスライドガイド１５０を形成している。同じく、２条の平行な右下がり傾斜の長円形スライド溝１６１，１６２によって、右下がり傾斜のガイドバーに相当する残存部１６６を有するスライドガイド１６０を形成している。
【０１２６】
ここで、左下がり傾斜の長円形スライド溝１５１，１５２には、それぞれスライド溝縁枠部１５１ａ，１５２ａを前にも後ろにも突出する様に備えさせているので、スライドガイド１５０は構造上頑丈である。そして、スライド溝縁枠部１５１ａ，１５２ａの前端面及び後端面は面一とされているので、スライドブロック１５３の前側部材１５４の裏面及び後側部材１５５の前面は、これらスライド溝縁枠部１５１ａ，１５２ａによって前後方向をしっかりとガイドされる。また、スライドブロック１５３は、前側部材１５４の裏面の内側２個のボス１５４ｂ，１５４ｃを内側の長円形スライド溝１５１に、外側２個のボス１５４ｄ，１５４ｅを外側の長円形スライド溝１５２にそれぞれ嵌め込んでいるので、横方向はスライド溝縁枠部１５１ａ，１５２ａの内周面でガイドされる。この結果、左のスライドブロック１５３は、左下がり傾斜のスライドガイド１５０に沿って、しっかりとガイドされた状態でスライド動作を行うことができる。
【０１２７】
この左のスライドブロック１５３の前側部材１５４は、前面に形成した嵌合凹部１５４ａにて左ロゴ可動体１１０の裏面に突設されたスライドブロック組付部１１４ａとしっかりと嵌合され、３個のネジで固定される。この結果、左ロゴ可動体１１０は、ベース部材１４０の左側下部に形成されたスライドガイド１５０によってしっかりとガイドされた状態に組み付けられる。
【０１２８】
また、このスライドブロック１５３は、レバー１７１と、その可動端側長孔１７１ａに対して後側部材１５５のレバー連結用ピン１５５ｈを挿通させ、抜け止め片１５１ｉで抜け止めした状態に連結される。連結が長孔とピンによるものであることから、遊びが確保され、レバー１７１の円弧状の回動動作に対して、スライドブロック１５３は、左下がりの直線で構成されるスライドガイド１５０に沿ったスライド動作をスムーズに実行することができる。
【０１２９】
レバー１７１は、ソレノイド１７０のロッド１７０ａとの連結においても、ロッド側の長孔１７０ｂに対して連結ピン１７４を挿通させる構成となっているので、ソレノイド１７０の直線運動を、支点ピン１７３及び支点孔１４２を中心とした回動運動にする際も、遊びの存在によるスムーズな動きが確保されている。
【０１３０】
この結果、ソレノイド１７０をオンとすることによってロッド１７０ａを上方に吸引したときに、レバー１７１はスムーズに時計回りの回動動作を実行し、スライドブロック１５３は、左下がり傾斜のスライドガイド１５０に沿って左方向へ移動しながら下降するスライド動作をスムーズに実行することができる。そして、ソレノイド１７０をオフとしてロッド１７０ａの吸引を解いたとき、付勢バネ１７２がスライドブロック１５３の内側上部のボス１５４ｂを内側の長円形スライド溝１５１に沿って引っ張り上げる。これによって、ロッド１７０ａは引き出され、スライドブロック１５３は、スライドガイド１５０の上端まで上昇する。
【０１３１】
この結果、左ロゴ可動体１１０は、ソレノイド１７０のオン操作によって左斜め下に向かってスライド動作され、ソレノイド１７０のオフ操作によって、付勢バネ１７２によって元の上昇位置へと右上がりにスライド動作される。
【０１３２】
同様に、右下がり傾斜の長円形スライド溝１６１，１６２にも、それぞれスライド溝縁枠部１６１ａ，１６２ａを前にも後ろにも突出する様に備えさせているので、スライドガイド１６０も構造上頑丈である。そして、スライド溝縁枠部１６１ａ，１６２ａの前端面及び後端面は面一とされているので、スライドブロック１６３の前側部材１６４の裏面及び後側部材１６５の前面は、これらスライド溝縁枠部１６１ａ，１６２ａによって前後方向をしっかりとガイドされる。また、スライドブロック１６３は、前側部材１６４の裏面の内側２個のボス１６４ｂ，１６４ｃを内側の長円形スライド溝１６１に、外側２個のぼる１６４ｄ，１６４ｅを外側の長円形スライド溝１６２にそれぞれ嵌め込んでいるので、横方向はスライド溝縁枠部１６１ａ，１６２ａの内周面でガイドされる。この結果、左のスライドブロック１６３は、左下がり傾斜のスライドガイド１６０に沿って、しっかりとガイドされた状態でスライド動作を行うことができる。
【０１３３】
この右のスライドブロック１６３の前側部材１６４は、前面に形成した嵌合凹部１６４ａにて右ロゴ可動体１２０の裏面に突設されたスライドブロック組付部１２４ａとしっかりと嵌合され、３個のネジで固定される。この結果、右ロゴ可動体１２０は、ベース部材１４０の右側下部に形成されたスライドガイド１６０によってしっかりとガイドされた状態に組み付けられる。
【０１３４】
また、このスライドブロック１６３は、レバー１８１と、その可動端側長孔１８１ａに対して後側部材１６５のレバー連結用ピン１６５ｈを挿通させ、抜け止め片１６１ｉで抜け止めした状態に連結される。連結が長孔とピンによるものであることから、遊びが確保され、レバー１８１の円弧状の回動動作に対して、スライドブロック１６３は、右下がりの直線で構成されるスライドガイド１６０に沿ったスライド動作をスムーズに実行することができる。
【０１３５】
レバー１８１は、ソレノイド１８０のロッド１８０ａとの連結においても、ロッド側の長孔１８０ｂに対して連結ピン１８４を挿通させる構成となっているので、ソレノイド１８０の直線運動を、支点ピン１８３及び支点孔１４４を中心とした回動運動にする際も、遊びの存在によるスムーズな動きが確保されている。
【０１３６】
この結果、ソレノイド１８０をオンとすることによってロッド１８０ａを上方に吸引したときに、レバー１８１はスムーズに時計回りの回動動作を実行し、スライドブロック１６３は、右下がり傾斜のスライドガイド１６０に沿って右方向へ移動しながら下降するスライド動作をスムーズに実行することができる。そして、ソレノイド１８０をオフとしてロッド１８０ａの吸引を解いたとき、付勢バネ１８２がスライドブロック１６３の内側上部のボス１６４ｂを内側の長円形スライド溝１６１に沿って引っ張り上げる。これによって、ロッド１８０ａは引き出され、スライドブロック１６３は、スライドガイド１６０の上端まで上昇する。
【０１３７】
この結果、右ロゴ可動体１２０は、ソレノイド１８０のオン操作によって左斜め下に向かってスライド動作され、ソレノイド１８０のオフ操作によって、付勢バネ１８２によって元の上昇位置へと右上がりにスライド動作される。
【０１３８】
そして、ソレノイド１７０，１８０を同時にオンとすれば、左右のロゴ可動体１１０，１２０が、あたかも左右に割れながら落下して液晶画面２ａの前面に重なる突出位置へと移動する。そして、ソレノイド１７０，１８０を共にオフにすれば、スライドガイド１５０，１６０の内側のスライド溝１５１，１６１と同じ方向に張られている付勢バネ１７２，１８２の復帰動作によって、左右のロゴ可動体１１０，１２０は、液晶画面２ａには重ならない上部の退避位置へと復帰し、左右のロゴ可動体１１０，１２０による一つのロゴによるセンター役物上部の装飾を形成する。
【０１３９】
また、退避位置への復帰動作が付勢バネ１７２，１８２により実行される構成であるから、位置検出センサを設けたり、モータ駆動としたりする必用がなく、ソレノイド１７０，１８０を駆動源とすることを可能ならしめている。そして、このことは、付勢バネ１７２，１８２を内側のスライド溝１５１，１６１と方向を重ね合わせる様に装着する構成によって、この動作をスムーズにしている。また、このことは、付勢バネ１７２，１８２の下端１７２ａ，１８２ａが装着されるボス１５４ｂ，１６４ｂの裏側にレバー１７１，１８１との連結用ピン１５５ｈ，１６５ｈが同一軸線上に位置する様に形成されていることから、ソレノイド１７０，１８０をオン操作した際に、付勢バネ１７２，１８２を最も効率よく引き伸ばす事ができる構造となっていることも効果的に作用している。
【０１４０】
さらに、各スライドブロック１５０，１６０は、前述の様に、スライド溝縁枠部１５１ａ，１５２ａ、１６１ａ，１６２ａの前端面及び後端面によっての前後方向のガイドをしっかりとされると共に、付勢バネ１７２，１８２を装着しない３個のボス１５４ｃ〜１５４ｅ、１６４ｃ〜１６４ｅを後側部材１６０の凹入部１５５ｃ〜１５５ａ、１６５ｃ〜１６５ｅに対して嵌合させた上でネジ止めする構造としたので、組立易く、しかも、十分な強度で一体化される。
【０１４１】
また、レバー１７１，１８１及び付勢バネ１７２，１８２がベース部材１４０の背面側に位置する様に、ソレノイド１７０，１８０がベース部材１４０の背面側に固定されているので、これらロゴ可動体役物１００の駆動機構（レバー１７１，１８１、付勢バネ１７２，１８２及びソレノイド１７０，１８０）の設置スペースを容易に確保することができる。
【０１４２】
加えて、ロゴ可動体役物１００を二つに分割された左右のロゴ可動体１１０，１２０で構成し、スライドブロック１５３，１６３、レバー１７１，１８１、付勢バネ１７２，１８２及びソレノイド１７０，１８０は、左右のロゴ可動体１１０，１２０用にそれぞれ備えられ、スライドガイド１５０，１６０は左右のロゴ可動体１１０，１２０用で末広がりの関係となる様に傾斜方向を変えて斜めに形成され、右のレバー１８１は左右のスライドブロック１５３，１６３の間となり、左のレバー１７１は左のスライドブロック１５３の外側（左側）となる様に組み付けられているので、全体にコンパクトな構成とすることができ、かかる構成を可能ならしめる上で、ソレノイド１７０，１８０による駆動並びに付勢バネ１７２，１８２による復帰という構成が活きている。
【０１４３】
また、ロゴ可動体役物１００による演出はロゴが単純に落下する演出ではなく、ソレノイド１７０，１８０を片方だけオン操作するならば、ロゴの半分だけが落下し、両方をオン操作するならばロゴの全体が広がりながら落下するといった新規で斬新な演出が可能となる。この様な新規で斬新な演出は、左右のロゴ可動体１１０，１２０の上下方向の動作を安定かつ円滑に実行するためのスライドガイド１５０，１６０としてのベース部材残存部１５６，１６６を包み込む様に設置するスライドブロック１５３，１６３の採用が有効に作用し、スライドブロック１５３，１６３の背面側に突設されたピン１５５ｈ、１６５ｈに対して先端側を連結されたレバー１７１，１８１と、レバー１７１，１８１の後端側にロッド１７０ａ，１８０ａを連結したソレノイド１７０，１８０とを備え、これらの連結部分を長孔とピンとすることで遊びを確保し、突出動作はソレノイド駆動により、復帰動作（退避動作）は付勢バネ１７２，１８２としたので、斜め方向のスライド動作を安定かつ円滑に実行させることができるからこそ、この様な新規で斬新な演出が可能になっている。また、左右のロゴ可動体１１０，１２０においてスライドガイド１５０，１６０を末広がりの関係としたから、上述の様にコンパクトな構成とすることが可能になっており、本実施例の各構成は、互いに有機的な作用を奏し合って、上述の如き特有の作用・効果を達成できている。
【０１４４】
ロゴ可動体役物１００においてベース部材１４０の前面左右に装着される左正面成形体１３８及び右正面成形体１３９は、図４２（Ｄ），（Ｅ）に示す様に、上部が前方へ大きく膨らんだ前面形状を呈し、ロゴ可動体１１０，１２０が前面に装着されてスライド動作するロゴ可動体移動範囲１３８ａ，１３９ａは、左右の正面成形体１３８，１３９で前面位置がほぼ同じ垂直面上に位置し、スライド動作の妨げとならない様に構成されている。
【０１４５】
そして、図４２（Ｂ），（Ｃ）に示す様に、左正面成形体１３８のロゴ可動体移動範囲１３８ａの内側下縁はスライドガイド１５０を完全に露出させる様にベース部材１４０の正面視に対して大きく切りかかれた切り欠き部１３８ｂとなっている。この切り欠き部は、図４２（Ａ）に示す様に、二段に切り欠かれ、一部はスライドガイド１５０の傾きとほぼ一致する傾きの上辺１３８ｃを有する矩形状切り欠き部１３８ｄとされている。
【０１４６】
また、右正面成形体１３９も、図４２（Ｂ），（Ｃ）に示す様に、ロゴ可動体移動範囲１３９ａの内側縁近くのスライドガイド１６０と重なる位置に、等脚台形状窓１３９ｂが開口されている。この等脚台形状窓１３９ｂの上底１３９ｃ及び下底１３９ｄは、スライドガイド１６０の傾きとほぼ一致している。さらに、この等脚台形状窓１３９ｂの右上方の位置に矩形状窓１３９ｅも開口されている。この矩形状窓１３９ｅは、スライドガイド１６０とほぼ平行となる様に傾いた矩形として開口されている。
【０１４７】
また、左正面成形体１３８及び右正面成形体１３９は、図４２（Ｄ），（Ｅ）に示す様に、裏面の支柱部１３８ｈ、１３９ｈをベース部材１４０の前面に当接させて組み付けられ、矩形状切り欠き部１３８ｄ及び矩形状窓１３９ｅの前面に十分な空間を確保することができている。
【０１４８】
そして、左正面成形体１３８の矩形状切り欠き部１３８ｄ及び右正面成形体１３９の矩形状窓１３９ｅは、ロゴ可動体１１０，１２０の背面のケーブル接続窓１１４ｂ，１２４ｂの後方に位置し、フラットケーブルをこれら成形体１３８，１３９の前に引き出す開口として設けられている。また、前述の様に、これら矩形状切り欠き部１３８ｄ及び矩形状窓１３９ｅは、スライドガイド１５０，１６０と同じ方向に傾斜し、左右のロゴ可動体１１０，１２０の背面のケーブル接続窓１１４ｂ，１２４ｂも同じくスライドガイド１５０，１６０と同じ方向に傾斜している。
【０１４９】
この結果、ベース部材１４０の前面に装着される左右のＬＥＤ基板１３２，１３４の前面側に設けられたフラットケーブル用コネクタ１３２ｂ，１３４ｂと、左右のロゴ可動体１１０，１２０の裏面に装着されるＬＥＤ基板１１３，１２３の裏面側に設けられたケーブルコネクタ１１３ａ，１２３ａとの間に接続されたフラットケーブルは、ロゴ可動体１１０，１２０のスライド動作に対して捻られることなく追従することができる。
【０１５０】
また、スライドブロック１５３，１６３は、図４２（Ｂ），（Ｃ）に示す様に、スライドガイド１５０，１６０の上端位置にあるときも下端位置にあるときも、おにぎり形”の嵌合凹部１５４ａ，１６４ａが正面から露出して見える状態になる様に、切り欠き１３８ｂ及び等脚台形状窓１３９ｂが切り欠かれ、あるいは開口されている。そして、スライドブロック１５３，１６３自体は、左右の正面成形体１３８，１３９の裏面側に収まっていて、スライドガイド１５０，１６０の前端面、後端面及びスライド溝同士の内側周壁によて支持された状態となる。この結果、スライド動作をさせるための機構部分は左右の正面成形体１３８，１３９及びロゴ可動体１１０，１２０の裏側に隠されて目立たないから、好適な装飾性も確保されている。
【０１５１】
この様に、本実施例のロゴ可動体役物１００によれば、円滑な動作で可動体１１０，１２０を上下方向へ動作させることができ、しかも、設置スペースもそれほど大きく必用とせず、かつ、高い組み立て精度を要求されることなく遊技機に取り付けることができる。
【０１５２】
［６  左サイド飾り５００の詳細］
次に、本実施例の遊技機が採用した左サイド飾り５００について、その詳細を説明する。図４３に示す様に、左サイド飾り５００は、遊技領域１０の左下部に備えられる左下普通入賞口１６ａ〜１６ｃと一体の部品として構成されている。なお、本実施例の遊技機には遊技領域１０の右下部分にも右サイド飾り５９０が装着される。このため、図５に示した様に、前面パネル３０の左右下部には、サイド飾り装着用開口３２，３３が貫通形成されている。
【０１５３】
本実施例において特徴的なものは左サイド飾り５００の構成である。図４４，図４５に示す様に、左サイド飾り５００は、サイド飾り装着用開口３２の縁の前面に取り付けられるベース部５１０と、ベース部５１０の背面側に取り付けられる背面蓋５５０と、立体的な造形体５６０と、普通入賞口形成部材５７１，５７２とを組み付けてなる組立体として構成されている。
【０１５４】
ベース部５１０は、左上端から高さ方向約１／４程度下がった位置に全体に若干右下がりとなっている上部転動面５２１を有し、この上部転動面５２１の右端から下方に向かって連続する右側転動面５２２を有するサイド飾り本体５２０が前方へ向かって一体に突設されたベース前側枠部材５３０と、ベース前枠部材５３０の裏面側に組み付けられるベース後側透視窓部材５４０とから構成されている。
【０１５５】
ベース前側枠部材５３０には、サイド飾り本体５２０の左斜め上方から３個の普通入賞口１６ａ〜１６ｃに対応する位置を少し越える辺りまでの幅を有する基部プレート５３１が備えられている。この基部プレート５３１には、入賞口用開口５３２，５３３，５３４が形成されると共に、これら入賞口用開口５３２，５３３，５３４の下方に、意匠的な形状に切り欠かれた中央下切り欠き部５３５及び同じく意匠的な形状に開口された右下窓部５３６を備えている。また、サイド飾り本体５２０の上部転動面５２１の上方にも、左側から意匠的に切り欠かれた左上切り欠き部５３７を備えている。
【０１５６】
ベース後側透視部材５４０は、ベース前側枠部材５３０の左上切り欠き部５３７、中央下切り欠き部５３５、及び窓部５３６に嵌り込む左上透視部５４１、中央下透視部５４２及び右下透視部５４３と、これらの背面側に連続する基部プレート５４４とを備えている。ベース後側透視部材５４０は、透明な合成樹脂の射出成形品として製造されている。
【０１５７】
サイド飾り本体５２０は、上部転動面５２１と右側転動面５２２の前面側に連続して正面視逆Ｌ字形状の逆Ｌ字形前面壁５２３が備えられている。そして、この逆Ｌ字形前面壁５２３に連続して垂直断面が逆Ｌ字状となる内側壁５２４が後方に向かって一体成形されている。また、ベース後側透視部材５４０の左上透視部５４１には、この逆Ｌ字形前面壁５２３に連続する内側壁５２４の裏蓋となる逆Ｌ字部５４５が連続する様に形成されている。この結果、ベース前側枠部材５３０とベース後側透視部材５４０とを組み立ててなるベース部５１０には、サイド飾り本体５２０の逆Ｌ字前面壁５２３に連属する内側壁５２４の外側（逆Ｌ字の内側）に、誘導レールとの間で取り囲まれる開口が形成されることになる。なお、逆Ｌ字形前面壁５２３には２個の円筒孔５２３ａ，５２３ｂが形成されており、この円筒孔５２３ａ，５２３ｂに支柱部５２５ａ，５２５ｂを嵌め込む様にして装飾部材５２５が装着される。この装飾部材５２５も、全体に逆Ｌ字型の形状となっていてサイド飾り５２０の逆Ｌ字形前面壁２３の角部を装飾するものなので、前述した開口を塞いでしまうことはない。
【０１５８】
背面蓋５５０は、前面パネル３０のサイド飾り装着用開口３２を通過することのできる寸法であって、ベース部５１０との間に立体的な造形体５６０を収容する収容空間を形成する様に後方に膨らんだ形状とされている。また、背面蓋５５０の上面壁５５１には、ベース前側枠部材５３０に開口されている入賞口用開口５３２，５３３，５３４と連続する入賞口用樋５５２，５５３，５５４が一体成形されている。さらに、下面壁５５５の左上部分には、ベース後側透視部材５４０の逆Ｌ字部５４５の左上端部と右下端部とを円弧状に連絡する様に嵌り込む円弧状プレート５５６が、下面壁５５５の前端からさらに前方にずれる様にして一体成形されている。従って、この円弧状プレート５５６は、逆Ｌ字部５４５の下縁となる様に間に嵌り込むことになる。これにより、左サイド飾り５００全体としては、サイド飾り装着用開口３２を前からしっかりと塞ぐことができている。
【０１５９】
また、背面蓋５５０の下面壁５５５は、組み付けた状態において、逆Ｌ字部５４５の上縁５４５ａ及び右縁５４５ｂよりも十分に下方に位置する関係となっている。この結果、ベース部５１０と背面蓋５５０とによって形成された収容空間は、逆Ｌ字部５４５の上縁５４５ａ及び右縁５４５ｂと背面蓋５５０の下面壁５５５とによって囲まれる開口５８０を介して前方へ開放されたものとなっている。
【０１６０】
立体的な造形体５６０は、右側造形体５６１と左側造形体５６２とから構成されている。
【０１６１】
右側造形体５６１は左右両端に円筒部５６１ａ，５６１ｂと、これら円筒部５６１ａ，５６１ｂの間で上下方向にも前後方向にも伸びる火炎の形状に形成された本体部５６１ｃとからなる立体的な意匠体となっている。この右側造形体５６１は、ベース前側枠部材５３０の裏面に突設された造形体支持ピン５３８ａ，５３８ｂに円筒部５６１ａ，５６１ｂを嵌め込む様にして組み付けられ、中央下切り欠き部５３５及び右下窓部５３６の背面に装着される。従って、立体的な意匠体である本体部５６１ｃは、ベース後側透視部材５４０の中央下透視部５４２及び右下透視部５４３を介して正面から視認することができる。
【０１６２】
左側造形体５６２は左端にだけ備えられた円筒部５６２ａと、この円筒部５６２ａから右方向に火炎が伸びる様に形成され、特に、先端５６２ｂから１／４程の中間火炎部５６２ｃが前方に大きく屈曲された形状に形成された本体部５６２ｄとからなる立体的な意匠体となっている。また、左端の円筒部５６２ａから右方向へ１／４程の位置の前面側に円形窪み５６２ｅも形成されている。この左側造形体５６２は、ベース前側枠部材５３０の裏面左上に突設された造形体支持ピン５３９に円筒部５６２ａを嵌め込むと共に、ベース後側透視部材５４０の左上透視部５４１と逆Ｌ字部５４５との連続部分に裏面に向かって突設された位置決めピン５４９に円形窪み５６２ｅを嵌め込んで組み付けられ、右下がりの状態でサイド飾り本体５２０の裏側に装着される。このとき、中間火炎部５６２ｃが、開口５８０から前方へ突き出された状態に装着される。従って、左側造形体５６２の本体部５６２ｄの左側部分はベース後側部材５４０の左上透視部５４１を介してその裏側に正面から視認される状態になると共に、中間火炎部５６２ｃ辺りから先端部５６２ｂにかけての右側部分は、開口５８０から外へ飛び出していて、遊技機の窓ガラスを通して直接視認される状態となる。
【０１６３】
普通入賞口形成部材５７１は、左上の１個の普通入賞口１６ａを構成する様に、一つの装飾を構成する前面装飾板５７１ａの裏面側に、背面蓋５５０の左上の樋５５２と連続する樋５７１ｂを備えたものとなっている。一方、普通入賞口形成部材５７２は、２個の普通入賞口１６ｂ，１６ｃを構成する様に、二つの装飾が連なった形状の前面装飾板５７２ａの裏面側に、背面蓋５５０の樋５５３，５５４のそれぞれと連続する樋５７２ｂ，５７２ｃを備えたものとなっている。
【０１６４】
これら普通入賞口形成部材５７１，５７２は、ベース部５１０の前面側から取り付けられ、樋５７１ｂ，５７２ｂ，５７２ｃは、背面蓋５５０の樋５５２，５５３，５５４と連絡された状態となって、左下普通入賞口１６ａ〜１６ｃを構成する。なお、遊技盤を組み上げたとき、樋５５２〜５５４は、裏ユニット４０の左下普通入賞口玉通路４６ａ〜４６ｃ（図４参照）と連絡した状態になる。
【０１６５】
以上説明した様に、本実施例の遊技機で採用した左サイド飾り５００は、立体的な造形体５６１，５６２の前面側をベース部５１０で覆うと共に、ベース部５１０を構成するベース前側枠部材５３０及びベース後側透視部材５４０において、サイド飾り本体５２０を正面視逆Ｌ字形状に左下が開口した形状となる様に構成し、図４６に示す様に、この開口５８０から左側造形体５６２の一部を遊技盤前面パネル３０の前面よりも前方にはみ出す様に設置した。
【０１６６】
そして、右側造形体５６１の前面側は光透過性を有するベース後側透視部材５４０で覆っているから、当該立体的な右側造形体５６１は正面から視認することができる。同様に、左側造形体５６２の左側部分は光透過性を有するベース後側透視部材５４０を介して正面から視認することができる。そして、左側造形体５６２の右側部分は、サイド飾り本体５２０で取り囲まれる様に形成される逆Ｌ字形状の開口５８０から遊技盤前面パネル３０の前面よりも前方にはみ出す様に設置した。これにより、立体的な左側造形体５６２は、遊技盤前面パネル３０の背面から前面まで繋がった、より立体的なものとすることができる。この結果、遊技盤前面パネル３０の背面から遊技盤前面パネル３０の前面まで連続する火炎の躍動感のある装飾を施すことができる。
【０１６７】
また、こうして左側造形体５６２を前方へ突き出させる開口５８０の遊技領域側には、左サイド飾り本体５２０が存在すると共に、左サイド飾り本体５２０は誘導レールにほぼ接する状態に取り付けられる。この結果、背面意匠用の開口部となる開口５８０への遊技球の侵入を防ぐことができ、開口５８０から前方へ飛び出している左側造形体５６２に対して遊技球が衝突して損傷させるといったことがない。この結果、実施例に示した様に、立体的な造形体５６０を細長い形状や一見華奢な形状にすることができるのである。
【０１６８】
さらに、左サイド飾り本体５２０は、上部転動面５２１及び右側転動面５２２を備えているので、これら転動面５２１，５２２が遊技球の動きを妨げることなく遊技球を転動させてスムーズな動きをさせるものとなり、遊技全体に対する違和感を生じさせることがない。
【０１６９】
また、遊技盤前面パネル３０には、左下普通入賞口１６ｃ〜１６ａと裏ユニット４０の左下普通入賞口玉通路４６ａ〜４６ｃとを連通させる様に、遊技領域１０に形成したサイド飾り装着用開口３３が備えられ、左サイド飾り５００は、このサイド飾り装着用開口３２を前面側から塞ぐ様に取り付けられる。そして、左サイド飾り５００のベース部５１０には、左下普通入賞口１６ａ〜１６ｃを構成する普通入賞口形成部材５７１，５７２が装着される。そして、本実施例では、ベース部５１０をベース前側枠部材５３０とベース後側透視部材５４０とで構成すると共に、ベース部５１０の裏側を立体的な造形体５６０を収容する空間を形成する様に背面蓋５５０で覆う構成を採用している。この結果、左下普通入賞口１６ａ〜１６ｃの下側に、中央透視部５４２及び右下透視部５４３を介して視認可能に右側造形体５６１が装着されると共に、この右側造形体５６２と関連性を有する左側造形体５６１が左サイド飾り５２０で囲まれた開口５８０から前方へ一部を突き出す様に装着できる構成としたので、左下普通入賞口１６ａ〜１６ｃの下方に遊技盤前面パネル３０の背面から前面まで連続した躍動感ある装飾を施すことができる。加えて、従来であれば箱状のサイド飾りの前面への彫刻等による装飾しかできなかったのに対し、サイド飾りに対する装飾を兼ねる様に立体的な左側造形体５６２が機能し、サイド飾り自体を遊技盤背面から前面を越えて連続する様な立体的で躍動感のある装飾を施されたものとすることもできている。
【０１７０】
さらに、ベース部５１０を構成するベース後側透視部材５４０を光透過性部材で構成すると共に、ベース部５１０の背面側に、立体的な造形体５６０を収容する収容空間を形成する様に後方に膨らんだ形状の背面蓋５５０を取り付けると共に、ベース前側枠部材５３０とベース後側透視部材５４０とによって、ベース部５１０を前後に貫通する背面意匠用の開口５８０を形成し、収容空間内に収容された立体的な造形体５６０の一部を当該背面意匠用の開口５８０から前方にはみ出させてあるので、遊技盤前面パネル３０がいわゆるベニヤの様に光透過性を有しないものであっても、遊技盤前面パネル３０の背面から前面へと突き抜ける装飾を施すことができる。しかも、かかる装飾を施すための立体的な造形体５６０は、左サイド飾り５００のベース部５１０と背面蓋５５０との間に形成される収容空間内に収容した状態とすることができるから、サイド飾りとしてユニット化した状態に組み立てておけばよく、遊技盤への取り付け作業が容易である。
【０１７１】
加えて、背面蓋５５０を光透過性部材で形成しているので、背面蓋５５０の背後に発光基板を設置して発光演出をも併せて実行することができる。また、左サイド飾り５００への発光基板設置としないことにより、組み立てが容易になり、サイド飾り自体を複雑な構造にすることがなく、配線などの処理が容易になる。
【０１７２】
そして、前述の様に、背面蓋５５０の上面壁５５１には、左下普通入賞口１６ａ〜１６ｃと玉通路形成部材４６とを連絡する樋５５２〜５５３が備えられているので、左下普通入賞口１６ａ〜１６ｃに入賞した遊技球を裏側の左下普通入賞口玉通路４６ａ〜４６ｃへとスムーズに誘導することができ、遊技球案内通路の設計において、サイド飾りの背面形状を考慮しなくてもよいという効果も発揮される。
【０１７３】
そして、何よりも、遊技機に対して従来よりも立体的で躍動感を表現した装飾を施すことができる。
【０１７４】
［７  液晶表示装置２の縁の部分による発光演出］
次に、裏ユニット４０の窓開口４１の左右の周縁部の光拡散部４５と、この光拡散部４５に重なる液晶表示装置２の画面２ａの縁を利用した発光演出について説明する。
【０１７５】
裏ユニット４０は、図４７，図４８に示す様に、中央部に液晶画面露出用の窓開口４１が形成され、背面側に液晶表示装置２をセットするディスプレイ取付枠４２を備えている。また、前面側には、既に述べた始動入賞口１１及び特別入賞口１３からの入賞球を受け入れる中央玉通路４７に加えて、左下普通入賞口１６ａ〜１６ｃに対応して装着される玉通路形成部材４６の裏側に位置する左下玉通路４６ｍも裏側に貫通する様に一体成形されている。この他、ロゴ可動体役物１００、円月輪可動体役物２００、回転手裏剣可動体役物３００、シャッタ付き中央発光体役物４００の開放リング型支持体４３０、及びギヤボックス役物６００などを取り付ける際の位置決めやネジ止めのための突起や孔などが形成され、前面側周囲には前方へ伸びる周壁４８が形成され、全体としては前開きの箱状成形体として射出成形によって製造されている。
【０１７６】
本実施例においては、裏ユニット４０の枠体部分４３は、透光性を有する材料で形成されている。この枠体部分４３の窓開口４１の周縁部に設けられる光拡散部４５は、前面側にダイヤカット加工を施したものである。液晶表示装置２は、図４９，図５０に示す様に、液晶画面２ａは、窓開口４１よりも大きく、光拡散部４５も画面内に収まるサイズである。そして、図５０（Ｇ）に示す様に、液晶画面２ａの窓開口４１よりも内側に位置する内側部分画面２ａ１と外側に位置する外側部分画面２ａ２とで、それぞれ異なる演出表示を実行する様に構成されている。
【０１７７】
また、図５に示す様に、液晶表示装置２が背面側に装着される裏ユニット４０の前面には遊技盤前面パネル３０が取り付けられる。このとき、遊技盤前面パネル３０の大開口３１には筒状のセンター飾り１２が装着されている。このセンター飾り１２の内面には、メッキ加工による鏡面処理が施されている。また、センター飾り１２は、裏ユニット４０の窓開口４１の外側であって、さらに、光拡散部４５の外側になる様な位置関係となっている。
【０１７８】
この様に、本実施例では、センター飾り１２を裏ユニット４０の窓開口４１からある程度外側になる様に配置し、表示演出制御装置によって、液晶画面２ａの内の窓開口４１の外側に位置する外側部分画面２ａ２での発光演出により、裏ユニット４３の窓開口４１の左右の周縁部に形成した光拡散部４５を介して発光演出を実行することができる。この外側部分画面２ａ２での発光演出は、内側部分画面２ａ１での表示演出（背景画像、変動画像、予告画像等）とは異なる演出として実行される。
【０１７９】
従って、表示演出の背景画面のサイズを内側部分画面２ａ１としてその外側部分画面２ａ２で発光演出を実行するといった方法はもちろん、画面一杯に表示演出の背景画面を表示しておいて、外側部分画面２ａ２に対応する色枠画像を背景画面の前に重ねるといった簡単な処理で、表示演出のためのデータに対して大きく手を加えることなく、これを実現することが可能である。
【０１８０】
また、近年の液晶パネル製造コストの低下によって却ってある程度のサイズの液晶パネルの方が安く調達できる時代にあっては、遊技領域確保等の関係から使わなくなっている外側部分画面２ａ２を有効に利用するので、エコロジーという観点からも望ましい。
【０１８１】
ここで、上述の表示演出制御装置は、外側部分画面２ａ２については、発光色と輝度とを中心にした発光演出を実行する様に構成する。これにより、ダイヤカット加工によって光拡散機能を施した光拡散部４５による光の拡散が行われる結果、演出画面の周囲において、色と明るさの変化という通常の液晶表示とは異なるイメージを遊技者に与え、ＬＥＤを用いた純粋な発光演出と似た態様の発光演出を、発光基板等の設置スペースがなくても実現することができる。
【０１８２】
また、上述の様にセンター飾り１２の内面側を、光を反射する様にメッキ処理されているので、液晶表示装置２の外側部分画面２ａ２で実行される色と明るさによる発光演出をさらにきらめかせることができる。
【０１８３】
さらに、円月輪可動体役物２００は、図１２，図１３に示した様に、窓開口４１の前面の動作位置へと移動する可動体演出を実行するけれども、その待機位置を裏ユニット４０の光拡散部４５よりも外側に位置する様に、裏ユニット４０の前面側に取り付けられている。従って、本実施例の様に、大型の可動体であってもその待機位置が裏ユニット４０の光拡散部４５を覆わない位置となっているので、上述した液晶画面２ａの外側部分画面２ａ２による発光演出が妨げられることがない。
【０１８４】
なお、これとは逆に、図２に示した様に、回転手裏剣可動体役物３００は待機位置において裏ユニット４０の光拡散部４５と重なる様に、裏ユニット４０の前面側に取り付けられている。この場合は、表示演出制御装置は、回転手裏剣可動体役物３００が待機位置から移動しているときに外側部分画面２ａ２による表示演出を実行する様に構成することで、回転手裏剣可動体役物３００が待機位置から動作するとき、動作しているとき、戻ってくるときに液晶表示装置２の外側部分画面２ａ２を用いた発光演出を実行することになる。この場合、回転手裏剣可動体役物３００の動作と発光演出がシンクロナイズすることにより回転手裏剣可動体役物３００の動作により煌めきや躍動感を与えることができる。そして、その様な効果を発揮させるためのＬＥＤ発光体の設置を要しないという効果が同様に発揮される。
【０１８５】
この様に、裏ユニット４０の光拡散部４５と液晶表示装置２とを利用した発光演出を行うことで、遊技盤において発光装飾体を設置するスペースの確保が困難な場合にも、発光演出を好適に実施することができる。
【０１８６】
以上、発明を実施形態として実施例１を説明したが、本発明は、これに限定されるものではなく、その要旨を逸脱しない範囲内における種々の変更が可能である。
【産業上の利用可能性】
【０１８７】
本発明はパチンコ機に利用することができる。
【符号の説明】
【０１８８】
［１  遊技機全体に関する符号の説明］
Ｐ・・・パチンコ遊技機、Ａ・・・外枠、Ｂ・・・中枠、Ｄ・・・前枠、Ｅ・・・上の球受け皿、Ｆ・・・下の球受け皿、Ｇ・・・打球発射装置、Ｈ・・・施錠装置、
１・・・遊技盤、３・・・センター役物、１０・・・遊技領域、１１・・・始動入賞口、１２・・・センター飾り、１３・・・特別入賞口、１４・・・案内車、１５・・・アウト口、１６ａ〜１６ｃ・・・左下普通入賞口、１８・・・誘導レール、３００・・・回転手裏剣可動体役物、５９０・・・右サイド飾り、６００・・・ギヤボックス役物、
［２  液晶表示装置に関する符号の説明］
２・・・液晶表示装置、２ａ・・・液晶画面、２ａ１・・・内側部分画面、２ａ２・・・外側部分画面、
［３  ステージに関する符号の説明］
２０・・・ステージ、２１・・・壁部材、２１ａ・・・半円形縦溝、２２・・・ステージ面、２３・・・ステージ飾り、２３ａ，２３ａ・・・窪み、２５・・・トンネル通路、２６・・・ワープ通路、
［４  前面パネルに関する符号の説明］
３０・・・前面パネル、３１・・・大開口、３２・・・左サイド飾り装着用開口、３３・・・右サイド飾り装着用開口、３４・・・入賞口装着用開口、３５・・・信号線接続用開口、３６・・・位置合わせ用孔、３８・・・位置合わせ用段部、
［５  裏ユニットに関する符号の説明］
４０・・・裏ユニット、４１・・・窓開口、４２・・・ディスプレイ取付枠、４３・・・枠体部分、４３ａ・・・枠体上側縁、４３ｂ・・・枠体下側縁、
４５・・・光拡散部、４６・・・玉通路形成部材、４６ａ〜４６ｃ・・・左下普通入賞口玉通路、４６ｍ・・・左下玉通路、４７・・・中央玉通路、４８・・・周壁、４９・・・合体中心規制ピン、
［６  ロゴ可動体役物に関する符号の説明］
１００・・・ロゴ可動体役物、
１１０・・・左ロゴ可動体、１１１・・・左ロゴ正面成形体、１１２・・・左ロゴレンズ部材、１１３・・・左ロゴＬＥＤ基板、１１３ａ，１２３ａ・・・ケーブルコネクタ、１１４・・・左ロゴ裏蓋部材、１１４ａ・・・スライドブロック組付部、１１４ａ１・・・ネジ孔、１１４ｂ・・・ケーブル接続窓、１１４ｃ・・・ケーブル押さえ部、
１２０・・・右ロゴ可動体、１２１・・・右ロゴ正面成形体、１２２・・・右ロゴレンズ部材、１２３・・・右ロゴＬＥＤ基板、１２４・・・右ロゴ裏蓋部材、１２４ａ・・・スライドブロック組付部、１２４ａ１・・・ネジ孔、１２４ｂ・・・ケーブル接続窓、１２４ｃ・・・ケーブル押さえ部、
１３０・・・上部中央発光体、１３１・・・裏蓋部材、１３１ａ・・・中央部、１３１ｂ・・・左アーム部、１３１ｃ・・・右アーム部、１３１ｄ・・・窓開口、１３２，１３３，１３４・・・ＬＥＤ基板、１３２ａ，１３３ａ，１３４ａ・・・接続コネクタ、１３２ｂ，１３４ｂ・・・フラットケーブル用コネクタ、１３５・・・中央上部レンズ部材、１３６・・・中央組付枠、１３６ａ・・・円形窓、１３６ｂ・・・三角形窓、１３７・・・中央正面成形体、１３７ａ・・・レンズ部、１３７ｂ・・・装飾部、
１３８・・・左正面成形体、１３８ａ・・・ロゴ可動体移動範囲、１３８ｂ・・・切り欠き部、１３８ｃ・・・上辺、１３８ｄ・・・矩形状切り欠き部、１３８ｈ・・・支柱部、
１３９・・・右正面成形体、１３９ａ・・・ロゴ可動体移動範囲、１３９ｂ・・・等脚台形状窓、１３９ｃ・・・上底、１３９ｄ・・・下底、１３９ｅ・・・矩形状窓、１３９ｈ・・・支柱部、
１４０・・・ベース部材、１４１・・・バネ連結用フック、１４２・・・支点孔、１４３・・・バネ連結用フック、１４４・・・支点孔、
１５０・・・左スライドガイド、１５１，１５２・・・長円形スライド溝、１５１ａ，１５２ａ・・・スライド溝縁枠部、１５３・・・左スライドブロック、１５４・・・前側部材、１５４ａ・・・嵌合凹部、１５４ａ１・・・ネジ挿入孔、１５４ｂ，１５４ｃ，１５４ｄ，１５４ｅ・・・ボス、１５４ｆ・・・段付き細径部、１５５・・・後側部材、１５５ｂ・・・細径ボス、１５５ｃ，１５５ｄ，１５５ｅ・・・凹入部、１５５ｆ・・・爪、１５５ｈ・・・レバー連結用ピン、１５５ｉ・・・抜け止め片、１５６・・・ベース部材残存部、
１６０・・・右スライドガイド、１６１，１６２・・・長円形スライド溝、１６１ａ，１６２ａ・・・スライド溝縁枠部、１６３・・・右スライドブロック、１６４・・・前側部材、１６４ａ・・・嵌合凹部、１６４ａ１・・・ネジ挿入孔、１６４ｂ，１６４ｃ，１６４ｄ，１６４ｅ・・・ボス、１６４ｆ・・・段付き細径部、１６５・・・後側部材、１６５ｂ・・・細径ボス、１６５ｃ，１６５ｄ，１６５ｅ・・・凹入部、１６５ｆ・・・爪、１６５ｈ・・・レバー連結用ピン、１６５ｉ・・・抜け止め片、１６５ｈ・・・レバー連結用ピン、
１７０・・・左ソレノイド、１７０ａ・・・ロッド、１７０ｂ・・・連結用長孔、１７１・・・レバー、１７１ａ・・・可動端側長孔、１７１ｂ・・・ロッド連結孔、１７１ｃ・・・支点孔、１７２・・・付勢バネ、１７２ａ・・・下端、１７２ｂ・・・上端、１７３・・・支点ピン、１７４・・・連結ピン、１９１・・・取付金具、
１８０・・・右ソレノイド、１８０ａ・・・ロッド、１８０ｂ・・・連結用長孔、１８１・・・レバー、１８１ａ・・・可動端側長孔、１８１ｂ・・・ロッド連結孔、１８１ｃ・・・支点孔、１８２・・・付勢バネ、１８２ａ・・・下端、１８２ｂ・・・上端、１８３・・・支点ピン、１８４・・・連結ピン、１９２・・・取付金具、
［７  円月輪可動体役物に関する符号の説明］
２００・・・円月輪可動体役物
２１０，２２０・・・左半割リング状可動体役物、２１０ａ，２２０ａ・・・可動端、２１１，２２１・・・ガイドプレート、
２１２，２２２・・・正面外枠成形体、２１２ａ，２２２ａ・・・可動端側先端部、２１２ｂ，２２２ｂ・・・円弧状レンズ窓、２１２ｃ，２２２ｃ・・・菱形状レンズ窓、２１２ｄ，２２２ｄ・・・三角形状レンズ窓、２１２ｅ，２２２ｅ・・・回動中心側元部、２１２ｆ，２２２ｆ・・・フォロワプレート、２１２ｇ，２２２ｇ・・・長円形孔、２１２ｈ，２２２ｈ・・・軸支孔、２１２ｉ，２２２ｉ・・・軸支用膨出部、２１２ｊ・・・シャッタ部材、２１２ｋ，２２２ｋ・・・対面側端面、２１２ｍ，２２２ｍ・・・半円形凹部、２１２ｏ，２２２ｏ・・・周壁、２１２ｐ，２２２ｐ・・・長円形孔周壁、２１２ｑ，２２２ｑ・・・裏蓋、２１２ｘ，２２２ｘ・・・内部空間、
２１３，２２３・・・レンズ部材、２１３ａ，２２３ａ・・・突起状レンズ、２１３ｂ，２２３ｂ・・・突起状レンズ、２１３ｄ，２２３ｄ・・・可動端側先端部、
２１４，２２４・・・ＬＥＤ基板、２１４ａ，２２４ａ・・・本体プレート部、２１４ｂ，２２４ｂ・・・三角形状プレート部、
２１５，２２５・・・裏蓋部材、２１５ａ，２２５ａ・・・平板、２１５ｂ，２２５ｂ・・・周縁リブ、２１５ｃ，２２５ｃ・・・内部リブ、２１５ｄ，２２５ｄ・・・可動端側先端部、２１５ｅ，２２５ｅ・・・周縁リブ欠落部、
２３０・・・ガイド形成部材、２３１・・・裏面側ガイド形成部材、２３１ａ・・・平板部、２３１ｂ・・・両側周壁部、２３１ｃ・・・片側周壁部、２３１ｄ・・・装飾形状部、２３１ｅ・・・溝底リブ、２３１ｆ・・・前面ラダー状リブ、２３１ｇ・・・後面升目状リブ、２３２・・・前面左側ガイド形成部材、２３２ａ・・・平板部、２３２ｂ・・・周壁部、２３２ｃ・・・前面ラダー状リブ、２３２ｄ・・・位置決め用突起、２３３・・・前面右側ガイド形成部材、２３３ａ・・・平板部、２３３ｂ・・・周壁部、２３３ｃ・・・前面ラダー状リブ、２３３ｄ・・・位置決め用突起、２３４・・・ガイド溝、２３４ａ・・・溝開口、２３４Ｓ・・・中央水平部、２３４Ｂ・・・左膨出部、２３５・・・ガイド溝、２３５ａ・・・溝開口、２３５Ｓ・・・中央水平部、２３５Ｂ・・・右膨出部、
２４０・・・ギヤボックス、２４１・・・ボックス後部、２４２・・・ボックス前部、２４３・・・モータ用開口、２４４，２４５・・・カム軸用開口、
２５０・・・駆動モータ、２５１〜２５３・・・減速ギヤ、２５４，２５５・・・動作用ギヤ組、２５４ａ，２５５ａ・・・ピン、２５９・・・モータカバー、
２６０・・・ベース部材、
２７０・・・フォトセンサ、２７１・・・検出部、
２８０・・・ＬＥＤランプ、
［８  シャッタ付き中央発光体役物に関する符号の説明］
４００・・・シャッタ付き中央発光体役物、
４０１・・・半球状発光体、４０１ａ・・・光透過性部材、４０１ｂ・・・ＬＥＤ基板、４０１ｃ・・・発光体裏蓋、４０１ｄ・・・ボックスコネクタ、４０１ｅ・・・ボックス状開口、４０１ｆ・・・ビス孔付き円柱部、４０１ｇ・・・位置決め突起、
４０２・・・上側半球状シャッタ片、４０２ａ・・・三角形状突片部、４０２ｂ・・・軸挿通孔、４０２ｃ・・・ダイヤカット面、４０２ｄ・・・覗き窓、４０２ｐ・・・ピン、
４０３・・・下側半球状シャッタ片、４０３ａ・・・三角形状段部、４０３ｂ・・・球面状背面壁、４０３ｃ・・・ダイヤカット面、４０３ｐ・・・ピン、
４０４・・・鍔付きブッシュ、
４０５ａ，４０５ｂ・・・支軸、
４１０・・・覆蓋駆動手段、
４１１・・・背面支持枠、４１１ａ・・・矩形開口、４１１ｂ・・・ビス挿通孔、４１１ｃ・・・軸受け孔、４１１ｄ，４１１ｅ・・・円弧状開口、４１１ｇ・・・位置決め孔、４１１ｈ・・・ビス挿通孔、４１１ｉ・・・位置決め孔、４１１ｋ・・・側壁部、４１１ｍ・・・軸受け孔、４１１ｐ・・・ネジ挿入孔、４１１ｑ・・・位置決め孔、４１１ｒ・・・位置決めバー、
４１２・・・右側面支持枠、４１２ａ，４１２ｂ・・・ギヤ支持軸、４１２ｃ・・・軸受け孔、４１２ｄ，４１２ｅ・・・円弧状溝、４１２ｆ・・・ネジ孔付き支柱、４１２ｇ・・・位置決め突起付き支柱、４１２ｈ・・・ネジ孔、４１２ｉ・・・位置決め突起、
４１３，４１４・・・ギヤ、４１３ａ，４１４ａ・・・アーム、４１３ｂ，４１４ｂ・・・溝、
４１５・・・裏面プレート、４１５ａ，４１５ｂ・・・挿通孔、
４１６・・・モータベース、４１６ａ・・・円形孔、４１６ｂ・・・ネジ挿通孔、４１６ｃ・・・位置決め孔、４１６ｄ・・・位置決め突起、４１６ｅ・・・ネジ孔、４１６ｆ・・・ネジ孔、
４１７・・・駆動ギヤ、４１７ａ・・・シャッタ部材、
４２０・・・駆動モータ、４２０ａ・・・駆動軸、４２０ｂ・・・ネジ挿通孔、
４２５・・・フォトセンサ、４２５ａ・・・検出部、４２５ｂ・・・位置決め孔、４２５ｃ・・・ネジ挿通孔、
４３０・・・開放リング型支持体、４３１・・・正面外枠左成形体、４３１ａ・・・台形状窓、４３１ｂ・・・円弧状窓、４３１ｈ，４３２ｈ・・・ビス挿入孔、４３２・・・正面外枠右成形体、４３２ａ・・・台形状窓、４３２ｂ・・・円弧状窓、４３３ａ〜４３３ｄ・・・第１のレンズ部材、４３４ａ〜４３４ｅ・・・装飾窓部材、４３５ａ〜４３５ｅ・・・装飾窓裏レンズ部材、４３６・・・左ＬＥＤ基板、４３７・・・右ＬＥＤ基板、４３８・・・左裏蓋部材、４３９・・・右裏蓋部材、
４４０・・・中央発光体装飾部材、４４０ａ・・・左側面飾り、４４０ｂ・・・右側面飾り、４４０ｃ・・・中央開口、４４０ｄ・・・前面壁、４４０ｅ・・・半円形凹入部、４４０ｆ・・・箱状リブ、４４０ｇ・・・円筒状壁部、４４０ｈ・・・ビス孔付きボス、
［９  左サイド飾りに関する符号の説明］
５００・・・左サイド飾り、
５１０・・・ベース部、
５２０・・・サイド飾り本体、５２１・・・上部転動面、５２２・・・右側転動面、５２３・・・逆Ｌ字形前面壁、５２３ａ，５２３ｂ・・・円筒孔、５２４・・・内側壁、５２５・・・装飾部材、５２５ａ，５２５ｂ・・・支柱部、
５３０・・・ベース前側枠部材、５３１・・・基部プレート、５３２，５３３，５３４・・・入賞口用開口、５３５・・・中央下切り欠き部、５３６・・・右下窓部、５３７・・・左上切り欠き部、５３８ａ，５３８ｂ・・・造形体支持ピン、５３９・・・造形体支持ピン、
５４０・・・ベース後側透視窓部材、５４１・・・左上透視部、５４２・・・中央下透視部、５４３・・・右下透視部、５４４・・・基部プレート、５４５・・・逆Ｌ字部、５４５ａ・・・上縁、５４５ｂ・・・右縁、５４９・・・位置決めピン、
５５０・・・背面蓋、
５５１・・・上面壁、５５２，５５３，５５４・・・入賞口用樋、５５５・・・下面壁、５５６・・・円弧状プレート、
５６０・・・立体的な造形体、
５６１・・・右側造形体、５６１ａ，５６１ｂ・・・円筒部、５６１ｃ・・・本体部、
５６２・・・左側造形体、
５６２ａ・・・円筒部、５６２ｂ・・・先端、５６２ｃ・・・中間火炎部、５６２ｄ・・・本体部、５６２ｅ・・・円形窪み、
５７１・・・普通入賞口形成部材、５７１ａ・・・前面装飾板、５７１ｂ・・・樋、
５７２・・・普通入賞口形成部材、５７２ａ・・・前面装飾板、５７２ｂ，５７２ｃ・・・樋、
５８０・・・開口、
【図１】
0005876770.tif 000002
【図２】
0005876770.tif 000003
【図３】
0005876770.tif 000004
【図４】
0005876770.tif 000005
【図５】
0005876770.tif 000006
【図６】
0005876770.tif 000007
【図７】
0005876770.tif 000008
【図８】
0005876770.tif 000009
【図９】
0005876770.tif 000010
【図１０】
0005876770.tif 000011
【図１１】
0005876770.tif 000012
【図１２】
0005876770.tif 000013
【図１３】
0005876770.tif 000014
【図１４】
0005876770.tif 000015
【図１５】
0005876770.tif 000016
【図１６】
0005876770.tif 000017
【図１７】
0005876770.tif 000018
【図１８】
0005876770.tif 000019
【図１９】
0005876770.tif 000020
【図２０】
0005876770.tif 000021
【図２１】
0005876770.tif 000022
【図２２】
0005876770.tif 000023
【図２３】
0005876770.tif 000024
【図２４】
0005876770.tif 000025
【図２５】
0005876770.tif 000026
【図２６】
0005876770.tif 000027
【図２７】
0005876770.tif 000028
【図２８】
0005876770.tif 000029
【図２９】
0005876770.tif 000030
【図３０】
0005876770.tif 000031
【図３１】
0005876770.tif 000032
【図３２】
0005876770.tif 000033
【図３３】
0005876770.tif 000034
【図３４】
0005876770.tif 000035
【図３５】
0005876770.tif 000036
【図３６】
0005876770.tif 000037
【図３７】
0005876770.tif 000038
【図３８】
0005876770.tif 000039
【図３９】
0005876770.tif 000040
【図４０】
0005876770.tif 000041
【図４１】
0005876770.tif 000042
【図４２】
0005876770.tif 000043
【図４３】
0005876770.tif 000044
【図４４】
0005876770.tif 000045
【図４５】
0005876770.tif 000046
【図４６】
0005876770.tif 000047
【図４７】
0005876770.tif 000048
【図４８】
0005876770.tif 000049
【図４９】
0005876770.tif 000050
【図５０】
0005876770.tif 000051
【図５１】
0005876770.tif 000052